(57)【要約】【課題】無線通信機能を有する端末装置、特に携帯端末装置において、携帯性の高さや通信規格の特性を利用することで、何か新しい利用の仕方、或いは遊び方を提案すること。【解決手段】それぞれの携帯端末装置において、所有者と何らかのつながり（関係）を有する人物を、その所有者との関係とともに登録する。そして、通信可能な距離内に、同一の人物が登録されている他の携帯端末装置を発見した場合には、その旨を知らせるメッセージとともに、携帯端末装置の所有者と、発見した他の携帯電話機の所有者と、の関係を表示する。【選択図】図１
2010246133.tif 000002
【特許請求の範囲】
【請求項１】
所定距離内に位置する他の端末装置と無線通信を行って、情報の取得或いは提供が可能な携帯端末装置に対して、
人物に係る人物情報を記憶する記憶手段と、
前記他の端末装置に記憶されている人物情報を取得する取得手段と、
所与の判定基準に基づき、前記取得手段により取得された人物情報と、前記記憶手段に記憶された人物情報と、の合致を判定する判定手段と、
前記判定手段により合致判定がなされた場合に報知する報知手段と、
を機能させるための通信情報。
【請求項２】
請求項１において、
前記無線通信は、前記携帯端末装置が、自動的に、前記所定距離内に位置する一乃至複数台の他の端末装置を認識するとともに、当該一乃至複数台の他の端末装置との無線通信回線を確立し、情報の取得或いは提供を可能とする通信方式であることを特徴とする通信情報。
【請求項３】
請求項１又は２において、
前記人物情報には少なくとも人物を識別するための識別情報が含まれ、
前記判定手段が、前記取得手段により取得された人物情報に含まれる識別情報と、前記記憶手段に記憶された人物情報に含まれる識別情報とが合致するか否かに基づき判定するための情報、を含む通信情報。
【請求項４】
請求項１〜３の何れかにおいて、
前記記憶手段が、前記携帯端末装置の所有者と前記人物情報に係る人物との間の人物関係を示す関係情報を記憶するための情報と、
前記取得手段が、前記他の端末装置に記憶されている人物情報とともに、当該人物情報に係る人物と前記他の端末装置の所有者との関係を示す関係情報を、前記他の端末装置から取得するための情報と、
前記判定手段により合致判定がなされた場合に、前記記憶手段が記憶する関係情報と、前記取得手段により取得された関係情報とに基づいて、前記携帯端末装置の所有者と前記他の端末装置の所有者との関係性を導出する導出手段、を前記携帯端末装置に機能させるための情報と、
前記報知手段が、前記導出手段により導出された関係性を表示するための情報と、
を含む通信情報。
【請求項５】
請求項４において、
前記報知手段が、前記携帯端末装置の所有者から前記他の端末装置の所有者に至るまでの人物関係を順に表示するための情報、を含む通信情報。
【請求項６】
請求項４又は５において、
前記関係情報を識別するための識別標識を記憶する関係標識記憶手段、を前記携帯端末装置に機能させるための情報と、
前記報知手段が、前記関係標識記憶手段に記憶された識別標識を用いて前記関係性を表示するための情報と、
を含む通信情報。
【請求項７】
所定距離内に位置する他の端末装置と無線通信を行って、情報の取得或いは提供が可能な携帯端末装置に対して、
人物に係る人物情報を、当該人物と当該携帯端末装置の所有者との人物関係を示す関係情報と関連付けて記憶する記憶手段と、
前記他の端末装置に記憶されている人物情報及び関係情報を取得する取得手段と、
所与の判定基準に基づき、前記取得手段により取得された人物情報と、前記記憶手段に記憶された人物情報と、の合致を判定する判定手段と、
前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段と、
を機能させるための通信情報。
【請求項８】
請求項１〜６の何れかにおいて、
前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段、
を前記携帯端末装置に機能させるための情報を含む通信情報。
【請求項９】
請求項１〜８の何れかにおいて、
前記記憶手段が、前記携帯端末装置の所有者を基準とする階層構造状に人物情報を記憶するための情報と、
前記取得手段が、所与の階層に位置する人物情報を取得対象とするための情報と、
を含む通信情報。
【請求項１０】
請求項１〜９の何れかにおいて、
前記記憶手段に記憶されている人物情報が所与の条件を満たす場合に、所与の演出を行う演出手段、
を前記携帯端末装置に機能させるための情報を含む通信情報。
【請求項１１】
所定距離内に位置する他の端末装置と無線通信を行って、情報の取得或いは提供が可能な携帯端末装置に対して、
所与のゲームを実行するゲーム実行手段と、
前記他の端末装置における前記所与のゲームの進行状況を取得する取得手段と、
前記取得手段により取得された進行状況に基づき、前記ゲームを進行させる手段と、
を機能させるための情報を含む通信情報。
【請求項１２】
所定距離内に位置する他の端末装置と無線通信を行って、情報の取得或いは提供が可能な携帯端末装置に対して、
被検索情報を記憶する記憶手段と、
前記他の端末装置に記憶されている被検索情報を取得する取得手段と、
所与の判定基準に基づき、前記取得手段により取得された被検索情報と、前記記憶手段に記憶された被検索情報と、の合致を判定する判定手段と、
前記判定手段により合致判定がなされた場合に報知する報知手段と、
を機能させるための通信情報。
【請求項１３】
所定距離内に位置する他の端末装置と無線通信を行って、情報の取得或いは提供が可能な携帯端末装置に対して、
トレード情報を記憶する記憶手段と、
前記他の端末装置に記憶されているトレード情報を取得する取得手段と、
前記取得手段により取得されたトレード情報および前記記憶手段に記憶されたトレード情報に基づき、トレードの成否を判別する判別手段と、
前記判別手段によりトレード成立と判別された場合に報知する報知手段と、
を機能させるための通信情報。
【請求項１４】
複数の端末装置と情報の送受信が可能なサーバ装置に対して、
前記端末装置毎に、人物に係る人物情報を記憶する記憶手段と、
前記複数の端末装置の内、一の端末装置が存する位置と、所与の位置に存する他の端末装置とを特定する特定手段と、
所与の判定基準に基づき、前記一の端末装置に対応する人物情報と、前記他の端末装置に対応する人物情報と、の合致を判定する判定手段と、
前記判定手段により合致判定がなされた場合に、前記一の端末装置及び／又は前記他の端末装置に合致検出情報を送信する送信手段と、
を機能させるための通信情報。
【請求項１５】
請求項１４において、
前記記憶手段が、前記人物情報を、対応する端末装置の所有者と当該人物情報に係る人物との間の人物関係を示す関係情報と関連付けて記憶するための情報と、
前記判定手段により合致判定がなされた場合に、前記記憶手段が記憶する関係情報に基づいて、前記一の端末装置の所有者と前記他の端末装置の所有者との関係性を導出する導出手段、を前記サーバ装置に機能させるための情報と、
前記送信手段が、前記導出手段により導出された関係性を表示するための情報を送信するための情報と、
を含む通信情報。
【請求項１６】
請求項１４又は１５において、
前記一の端末装置から所望位置情報を受信する受信手段、を前記サーバ装置に機能させるための情報と、
前記特定手段が、前記受信手段により受信された所望位置情報に基づいて前記他の端末装置を特定するための情報と、
を含む通信情報。
【請求項１７】
複数の端末装置と情報の送受信が可能なサーバ装置に対して、
前記端末毎に、人物に係る人物情報を、当該人物と当該端末装置の所有者との人物関係を示す関係情報と関連付けて記憶する記憶手段と、
前記複数の端末装置の内、一の端末装置が存する位置と、所与の位置に存する他の端末装置とを特定する特定手段と、
所与の判定基準に基づき、前記一の端末装置に対応する人物情報と、前記他の端末装置に対応する人物情報と、の合致を判定する判定手段と、
前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段と、
を機能させるための通信情報。
【請求項１８】
請求項１４〜１６の何れかにおいて、
前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段、
を機能させるための情報を含む通信情報。
【請求項１９】
請求項１〜１８の何れか記載の通信情報を記憶する情報記憶媒体。
【請求項２０】
所定距離内に位置する他の端末装置と無線通信を行って、情報の取得或いは提供が可能な携帯端末装置であって、
人物に係る人物情報を記憶する記憶手段と、
前記他の端末装置に記憶されている人物情報を取得する取得手段と、
所与の判定基準に基づき、前記取得手段により取得された人物情報と、前記記憶手段に記憶された人物情報と、の合致を判定する判定手段と、
前記判定手段により合致判定がなされた場合に報知する報知手段と、
を備える携帯端末装置。
【請求項２１】
請求項２０において、
前記記憶手段は、前記携帯端末装置の所有者と前記人物情報に係る人物との間の人物関係を示す関係情報を記憶し、
前記取得手段は、前記他の端末装置に記憶されている人物情報とともに、当該人物情報に係る人物が前記他の端末装置の所有者との関係を示す関係情報を前記他の端末装置から取得し、
前記判定手段により合致判定がなされた場合に、前記記憶手段が記憶する関係情報と、前記取得手段により取得された関係情報とに基づいて、前記携帯端末装置の所有者と前記他の端末装置の所有者との関係性を導出する導出手段、を備え、
前記報知手段は、前記導出手段により導出された関係性を表示する、
ことを特徴とする携帯端末装置。
【請求項２２】
所定距離内に位置する他の端末装置と無線通信を行って、情報の取得或いは提供が可能な携帯端末装置であって、
人物に係る人物情報を、当該人物と当該携帯端末装置の所有者との人物関係を示す関係情報と関連付けて記憶する記憶手段と、
前記他の端末装置に記憶されている人物情報及び関係情報を取得する取得手段と、
所与の判定基準に基づき、前記取得手段により取得された人物情報と、前記記憶手段に記憶された人物情報と、の合致を判定する判定手段と、
前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段と、
を備える携帯端末装置。
【請求項２３】
請求項２０又は２１において、
前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段、
を備える携帯端末装置。
【請求項２４】
複数の端末装置と情報の送受信が可能なサーバ装置であって、
前記端末装置毎に、人物に係る人物情報を記憶する記憶手段と、
前記複数の端末装置の内、一の端末装置が存する位置と、所与の位置に存する他の端末装置とを特定する特定手段と、
所与の判定基準に基づき、前記一の端末装置に対応する人物情報と、前記他の端末装置に対応する人物情報と、の合致を判定する判定手段と、
前記判定手段により合致判定がなされた場合に、前記一の端末装置及び／又は前記他の端末装置に合致検出情報を送信する送信手段と、
を備えるサーバ装置。
【請求項２５】
請求項２４において、
前記一の端末装置から所望位置情報を受信する受信手段、を備え、
前記特定手段は、前記受信手段により受信された所望位置情報に基づいて前記他の端末装置を特定する、
ことを特徴とするサーバ装置。
【請求項２６】
複数の端末装置と情報の送受信が可能なサーバ装置であって、
前記端末装置毎に、人物に係る人物情報を、当該人物と当該端末装置の所有者との人物関係を示す関係情報と関連付けて記憶する記憶手段と、
前記複数の端末装置の内、一の端末装置が存する位置と、所与の位置に存する他の端末装置とを特定する特定手段と、
所与の判定基準に基づき、前記一の端末装置に対応する人物情報と、前記他の端末装置に対応する人物情報と、の合致を判定する判定手段と、
前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段と、
を備えるサーバ装置。
【請求項２７】
請求項２４又は２５において、
前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段、
を備えるサーバ装置。
【請求項２８】
複数の端末装置と情報の送受信が可能なサーバ装置であって、
前記端末装置毎に、人物に係る人物情報を、当該人物と当該端末装置の所有者との人物関係を示す関係情報と関連付けて記憶する記憶手段と、
前記複数の端末装置の内、一の端末装置と、他の端末装置とを特定する特定手段と、
所与の判定基準に基づき、前記一の端末装置に対応する人物情報と、前記他の端末装置に対応する人物情報と、の合致を判定する判定手段と、
前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段と、
を備えるサーバ装置。
【発明の詳細な説明】
【技術分野】
【０００１】
本発明は、ゲーム装置等に関する。
【背景技術】
【０００２】
現在、携帯電話機やＰＤＡなど、携帯性が高い情報機器の開発や普及がめざましく、特に携帯電話機についていえば、その普及率は５０％を超えるものとなっている。また、これらの情報機器の多くは、本体に通信機能を内蔵するもの、或いは通信ユニットを外付けすることで他の情報機器との通信が可能となっている。
【先行技術文献】
【特許文献】
【０００３】
【特許文献１】特開２０００−１６７２３３号公報
【発明の概要】
【発明が解決しようとする課題】
【０００４】
一方、情報機器の間でデータのやり取りを行う無線通信規格として、例えばＩｒＤＡに代表される赤外線通信規格や、いわゆる無線ＬＡＮと呼ばれるＩＥＥＥ８０２．１１、更には１対多通信を可能としたBluetooth(R)など、様々な規格が発表されている。
このような情報機器を利用し、携帯性の高さや個々の通信規格の特性を生かすことで、何か新しい遊び方は提案できないだろうか。
本発明は、このような背景に基づいてなされたものである。
【課題を解決するための手段】
【０００５】
上記課題を解決するための第１の発明は、所定距離内に位置する他の端末装置と無線通信を行って、情報の取得或いは提供が可能な携帯端末装置（例えば、図７の携帯電話機１００）に対して、人物に係る人物情報（例えば、図７の所有者情報６３或いは友人情報６４）を記憶する記憶手段（例えば、図７の記憶装置６０）と、前記他の端末装置に記憶されている人物情報を取得する取得手段（例えば、図７のBluetooth通信装置４１）と、所与の判定基準に基づき、前記取得手段により取得された人物情報と、前記記憶手段に記憶された人物情報と、の合致を判定する判定手段（例えば、図７のＣＰＵ１０）と、前記判定手段により合致判定がなされた場合に報知する報知手段（例えば、図７の表示部３０）と、を機能させるための通信情報である。
【０００６】
また、第２０の発明は、所定距離内に位置する他の端末装置と無線通信を行って、情報の取得或いは提供が可能な携帯端末装置（例えば、図７の携帯電話機１００）であって、人物に係る人物情報（例えば、図７の所有者情報６３或いは友人情報６４）を記憶する記憶手段（例えば、図７の記憶装置４０）と、前記他の端末装置に記憶されている人物情報を取得する取得手段（例えば、図７のBluetooth通信装置４１）と、所与の判定基準に基づき、前記取得手段により取得された人物情報と、前記記憶手段に記憶された人物情報と、の合致を判定する判定手段（例えば、図７のＣＰＵ１０）と、前記判定手段により合致判定がなされた場合に報知する報知手段（例えば、図７の表示装置３０）と、を備える携帯端末装置である。
【０００７】
この第１又は第２０の発明によれば、携帯端末装置に記憶されている人物情報と合致する人物情報が記憶されている端末装置が所定距離内に存することを、報知できる。
即ち、例えば上記合致判定が、それぞれの人物情報に係る人物が同一人物であるか否かの判定である場合、同一人物が登録されている他の端末装置が存することを報知できる。尚、ここで「人物が登録される」とは、該人物に係る人物情報が記憶されることを意味しており、以下においても同様である。
また、記憶されている人物情報が、所有者と何らかのつながり（関係）を有する人物に関する人物情報である場合、携帯端末装置の所有者と何らかのつながり（関係）を有する人物が所定距離内に存在することを、報知できる。尚、ここで携帯端末装置及び端末装置の所有者はその近傍に存在するものとし、携帯端末装置及び端末装置の存在を、所有者の存在にて表現するものとする。また、以下においても同様である。
更に、取得手段による取得対象を、他の端末装置の所有者に関する人物情報であるとすれば、携帯端末装置に登録されている人物が所定距離内に存在することを、報知できる。
【０００８】
第２の発明は、第１の発明の通信情報において、前記無線通信は、前記携帯端末装置が、自動的に、前記所定距離内に位置する一乃至複数台の他の端末装置を認識するとともに、当該一乃至複数台の他の端末装置との無線通信回線を確立し、情報の取得或いは提供を可能とする通信方式である通信情報である。
【０００９】
この第２の発明によれば、携帯端末装置による無線通信方式を、例えばBluetooth（R）とするとともに、所定距離内に存する一乃至複数台の端末装置との情報の取得或いは提供を自動的に実行可能とすることができる。
【００１０】
第３の発明は、第１又は第２の発明の通信情報において、前記人物情報には少なくとも人物を識別するための識別情報（例えば、友人情報６４の項目「電話番号」）が含まれ、前記判定手段が、前記取得手段により取得された人物情報に含まれる識別情報と、前記記憶手段に記憶された人物情報に含まれる識別情報とが合致するか否かに基づき判定するための情報、を含む通信情報である。
【００１１】
ここで識別情報とは、それぞれの人物情報に係る人物を識別するためのものであり、例えば電話番号や氏名であってもよい。この識別情報は、係る人物毎に固有なものであることが望ましいが、状況や目的に応じて、人物をグループ分けし、それぞれが属するグループを識別するものであってもよい。例えば、上記グループとして、性別、年齢、居住地、所有物などが挙げられる。
【００１２】
この第３の発明によれば、人物情報に含まれる識別情報に基づき、人物情報の合致を判定できる。
また、識別情報が、上述したグループ分けに従うものであれば、同一の属性を有する人物に係る人物情報が記憶されている他の端末装置が所定距離内に存することを、報知できる。
【００１３】
第４の発明は、第１〜第３の何れかの発明の通信情報において、前記記憶手段が、前記携帯端末装置の所有者と前記人物情報に係る人物との間の人物関係を示す関係情報（例えば、友人情報６４の項目「直接関係人物」）を記憶するための情報と、前記取得手段が、前記他の端末装置に記憶されている人物情報とともに、当該人物情報に係る人物と前記他の端末装置の所有者との関係を示す関係情報を、前記他の端末装置から取得するための情報と、前記判定手段により合致判定がなされた場合に、前記記憶手段が記憶する関係情報と、前記取得手段により取得された関係情報とに基づいて、前記携帯端末装置の所有者と前記他の端末装置の所有者との関係性を導出する導出手段（例えば、図７のＣＰＵ１０）、を前記携帯端末装置に機能させるための情報と、前記報知手段が、前記導出手段により導出された関係性を表示するための情報と、を含む通信情報である。
【００１４】
また、第２１の発明は、第２０の発明の携帯端末装置において、前記記憶手段は、前記携帯端末装置の所有者と前記人物情報に係る人物との間の人物関係を示す関係情報（例えば、人物情報６４の項目「直接関係人物」）を記憶し、前記取得手段は、前記他の端末装置に記憶されている人物情報とともに、当該人物情報に係る人物が前記他の端末装置の所有者との関係を示す関係情報（例えば、友人情報６４の項目「直接関係人物」）を前記他の端末装置から取得し、前記判定手段により合致判定がなされた場合に、前記記憶手段が記憶する関係情報と、前記取得手段により取得された関係情報とに基づいて、前記携帯端末装置の所有者と前記他の端末装置の所有者との関係性を導出する導出手段（例えば、図７のＣＰＵ１０）、を備え、前記報知手段は、前記導出手段により導出された関係性を表示する、携帯端末装置である。
【００１５】
この第４又は第２１の発明によれば、判定手段により人物情報の合致が判定された場合に、携帯端末装置の所有者と、他の端末装置の所有者との間の関係性を導出するとともに、その関係性を報知できる。
【００１６】
第５の発明は、第４の発明の通信情報において、前記報知手段が、前記携帯端末装置の所有者から前記他の端末装置の所有者に至るまでの人物関係を順に表示するための情報、を含む通信情報である。
【００１７】
この第５の発明によれば、上記関係性を、例えば間にどのような人物を介しているのか、或いは何人の人物を介しているのかといった、携帯端末装置の所有者から他の端末装置の所有者へ至るまでの順をも含めて報知できる。
【００１８】
第６の発明は、第４又は第５の発明の通信情報において、前記関係情報を識別するための識別標識を記憶する関係標識記憶手段（例えば、図７の記憶装置６０）、を前記携帯端末装置に機能させるための情報と、前記報知手段が、前記関係標識記憶手段に記憶された識別標識を用いて前記関係性を表示するための情報と、を含む通信情報である。
【００１９】
ここで、識別標識とは、形（大きさを含む）、色、模様（文字や記号を含む）、或いはこれらの組み合わせにより形成されるものであり、上記関係性を視覚的に把握可能とするものを意味する。
【００２０】
この第６の発明によれば、上記関係性を容易に視認可能なよう、報知することができる。
【００２１】
第７の発明は、所定距離内に位置する他の端末装置と無線通信を行って、情報の取得或いは提供が可能な携帯端末装置（例えば、図７の携帯電話機１００）に対して、人物に係る人物情報（例えば、図７の所有者情報６３或いは友人情報６４）を、当該人物と当該携帯端末装置の所有者との人物関係を示す関係情報（例えば、友人情報６４の項目「直接関係人物」）と関連付けて記憶する記憶手段（例えば、図７の記憶装置６０）と、前記他の端末装置に記憶されている人物情報及び関係情報を取得する取得手段（例えば、図７のBluetooth通信装置４１）と、所与の判定基準に基づき、前記取得手段により取得された人物情報と、前記記憶手段に記憶された人物情報と、の合致を判定する判定手段（例えば、図７のＣＰＵ１０）と、前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段（例えば、図７のＣＰＵ１０）と、を機能させるための通信情報である。
【００２２】
また、第８の発明は、第１〜第６の何れかの発明の通信情報において、前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段（例えば、図７のＣＰＵ１０）、を前記携帯端末装置に機能させるための情報を含む通信情報である。
【００２３】
また、第２２の発明は、所定距離内に位置する他の端末装置と無線通信を行って、情報の取得或いは提供が可能な携帯端末装置（例えば、図７の携帯電話機１００）であって、人物に係る人物情報（例えば、図７の所有者情報６３或いは友人情報６４）を、当該人物と当該携帯端末装置の所有者との人物関係を示す関係情報と関連付けて記憶する記憶手段（例えば、図７の記憶装置６０）と、前記他の端末装置に記憶されている人物情報及び関係情報を取得する取得手段（例えば、図７のBluetooth通信装置４１）と、所与の判定基準に基づき、前記取得手段により取得された人物情報と、前記記憶手段に記憶された人物情報と、の合致を判定する判定手段（例えば、図７のＣＰＵ１０）と、前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段（例えば、図７のＣＰＵ１０）と、を備える携帯端末装置である。
【００２４】
また、第２３の発明は、第２０又は第２１の発明の通信情報において、前記判定手段により合致判定がなされた場合に、合致判定結果に基づいて、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段（例えば、図７のＣＰＵ１０）、を備える通信情報である。
【００２５】
この第７、第８、第２２、及び第２３の何れかの発明によれば、判定手段により合致判定がなされた場合に、取得された人物情報を、携帯端末装置の所有者とのつながり（関係）を示す関係情報ともに、追加記憶することができる。即ち、他の端末装置に登録されている人物を、携帯端末装置の所有者とのつながり（関係）とともに、追加登録することができる。
更に、追加登録する人物を、合致判定がなされた人物を除くことで、同一人物が重複して登録されることを防止できる。
【００２６】
第９の発明は、第１〜第８の何れかの発明の通信情報において、前記記憶手段が、前記携帯端末装置の所有者を基準とする階層構造状に人物情報を記憶するための情報と、前記取得手段が、所与の階層に位置する人物情報を取得対象とするための情報と、を含む通信情報である。
【００２７】
この第９の発明によれば、人物情報が階層構造を有することで、携帯端末装置の所有者と登録人物との関係の深さを表現できる。
また、取得手段による取得対象を、他の端末装置の所有者に係る人物情報のみとすることで、登録人物が所定距離内に存在することを、報知できる。
【００２８】
第１０の発明は、第１〜第９の何れかの発明の通信情報において、前記記憶手段に記憶されている人物情報が所与の条件を満たす場合に、所与の演出を行う演出手段、を前記携帯端末装置に機能させるための情報を含む通信情報である。
【００２９】
ここで所与の条件とは、記憶されている人物情報の合計数が所定数に到達する、特定人物に係る人物情報を記憶する、或いは特定の情報を含む人物情報を記憶するなど、人物情報に関する条件の意である。
また、所与の演出とは、画像（静止画、及び動画を含む）の表示、メロディなどの音出力、ライトの点灯（点滅）、携帯端末装置本体の振動などを意味する。
【００３０】
この第１０の発明によれば、例えば登録人物が一定人数に達した場合、これ以上登録できないことや、また、特定の人物が登録されている他の端末装置が所定距離内に存するといったことを、表示画面やメロディ等により報知することができる。
更に、取得手段により取得された人物情報が前記所与の条件を満たす場合に、前記所与の演出を行うこととしてもよい。
【００３１】
第１１の発明は、所定距離内に位置する他の端末装置と無線通信を行って、情報の取得或いは提供が可能な携帯端末装置に対して、所与のゲームを実行するゲーム実行手段と、前記他の端末装置における前記所与のゲームの進行状況を取得する取得手段と、前記取得手段により取得された進行状況に基づき、前記所与のゲームを進行させる手段と、を機能させるための情報を含む通信情報である。
【００３２】
この第１１の発明によれば、例えば他の端末装置から所定のアイテム（キャラクタ、キーワードを含む）を取得することにより、ゲームを進行させる、また、ゲームの展開に行き詰まったときに、他の端末装置から攻略情報を取得し、ゲームを進行させる、といったことができる。
【００３３】
第１２の発明は、所定距離内に位置する他の端末装置と無線通信を行って、情報の取得或いは提供が可能な携帯端末装置に対して、被検索情報を記憶する記憶手段と、前記他の端末装置に記憶されている被検索情報を取得する取得手段と、所与の判定基準に基づき、前記取得手段により取得された被検索情報と、前記記憶手段に記憶された被検索情報と、の合致を判定する判定手段と、前記判定手段により合致判定がなされた場合に報知する報知手段と、を機能させるための通信情報である。
【００３４】
この第１２の発明によれば、携帯端末装置に記憶されている被検索情報と、所定距離内に存する他の端末装置に記憶されている被検索情報と、の合致を報知することができる。
そして、例えば被検索情報を人物に係る人物とすれば、第１又は第２０の発明の効果と同様の効果を得ることができる。
【００３５】
第１３の発明は、所定距離内に位置する他の端末装置と無線通信を行って、情報の取得或いは提供が可能な携帯端末装置に対して、トレード情報を記憶する記憶手段と、前記他の端末装置に記憶されているトレード情報を取得する取得手段と、前記取得手段により取得されたトレード情報および前記記憶手段に記憶されたトレード情報に基づき、トレードの成否を判別する判別手段と、前記判別手段によりトレード成立と判別された場合に報知する報知手段と、を機能させるための通信情報である。
【００３６】
ここでトレード情報とは、双方の端末装置、或いはその所有者の間でトレード（交換）され得るものに関する情報を意味する。また、トレード（交換）され得るものとして、例えば電化製品や書籍、或いはトレーディングカードといった具体的な品物に加え、双方の端末装置の間でやり取りされるプログラムやデータ等も含まれる。
【００３７】
この第１３の発明によれば、携帯端末装置と他の端末装置との間のトレードの成立を判定するとともに、トレードが成立する他の端末装置が所定距離内に存することを、報知できる。
例えば、携帯端末装置に登録されている「欲しい」品物が「譲りたい」品物として登録されている他の端末装置、或いは「譲りたい」品物が「欲しい」品物として登録されている端末装置が所定距離内に存することを報知できる。また、所有者にとっては、「欲しい」或いは「譲りたい」品物を登録することで、トレードの成立を迅速に知ることが可能となる。
【００３８】
第１４の発明は、複数の端末装置（例えば、図１６の携帯電話機３００）と情報の送受信が可能なサーバ装置（例えば、図１７のサーバ装置４００）に対して、前記端末装置毎に、人物に係る人物情報（例えば、図１７の人物情報ＤＢ９３）を記憶する記憶手段（例えば、図１７の記憶装置９０）と、前記複数の端末装置の内、一の端末装置が存する位置と、所与の位置に存する他の端末装置とを特定する特定手段（例えば、図１７のＣＰＵ１２）と、所与の判定基準に基づき、前記一の端末装置に対応する人物情報と、前記他の端末装置に対応する人物情報と、の合致を判定する判定手段（例えば、図１７のＣＰＵ１２）と、前記判定手段により合致判定がなされた場合に、前記一の端末装置及び／又は前記他の端末装置に合致検出情報を送信する送信手段（例えば、図１７の通信装置４２）と、を機能させるための通信情報である。
【００３９】
また、第２４の発明は、複数の端末装置（例えば、図１６の携帯電話機３００）と情報の送受信が可能なサーバ装置（例えば、図１７のサーバ装置４００）であって、前記端末装置毎に、人物に係る人物情報（例えば、図１７の人物情報ＤＢ９３）を記憶する記憶手段（例えば、図１７の記憶装置９０）と、前記複数の端末装置の内、一の端末装置が存する位置と、所与の位置に存する他の端末装置とを特定する特定手段（例えば、図１７のＣＰＵ１２）と、所与の判定基準に基づき、前記一の端末装置に対応する人物情報と、前記他の端末装置に対応する人物情報と、の合致を判定する判定手段（例えば、図１７のＣＰＵ１２）と、前記判定手段により合致判定がなされた場合に、前記一の端末装置及び／又は前記他の端末装置に合致検出情報を送信する送信手段（例えば、図１７の通信装置４２）と、を備えるサーバ装置である。
【００４０】
この第１４又は第２４の発明によれば、一の端末装置及び／又は所与の位置に存する端末装置に対して、それぞれに対応する人物情報の合致を報知できる。
即ち、例えば上記合致判定が、各々の人物情報に係る人物が同一人物であるか否かの判定である場合、同一人物が登録されていることを報知できる。
また、人物情報が、所有者と何らかのつながり（関係）を有する人物に関する人物情報である場合、何らかのつながり（関係）を有する人物が所定距離内に存在することを、報知できる。
更に、合致手段による合致判定対象を、例えば他の端末装置の所有者に関する人物情報であるとすれば、一の端末装置に対して、登録されている人物が所定距離内に存在することを、報知できる。
【００４１】
第１５の発明は、第１４の発明の通信情報において、前記記憶手段が、前記人物情報を、対応する端末装置の所有者と当該人物情報に係る人物との間の人物関係を示す関係情報（例えば、図１６のＣＰＵ１１）と関連付けて記憶するための情報と、前記判定手段により合致判定がなされた場合に、前記記憶手段が記憶する関係情報に基づいて、前記一の端末装置の所有者と前記他の端末装置の所有者との関係性を導出する導出手段（例えば、図１６のＣＰＵ１１）、を前記サーバ装置に機能させるための情報と、前記送信手段が、前記導出手段により導出された関係性を表示するための情報を送信するための情報と、を含む通信情報である。
【００４２】
この第１５の発明によれば、判定手段により人物情報の合致が判定された場合に、一の端末装置の所有者と、所与の位置に存する他の端末装置の所有者との間の関係性を導出するとともに、その関係性を報知できる。
【００４３】
第１６の発明は、第１４又は第１５の発明の通信情報において、前記一の端末装置から所望位置情報を受信する受信手段、を前記サーバ装置に機能させるための情報と、前記特定手段が、前記受信手段により受信された所望位置情報に基づいて前記他の端末装置を特定するための情報と、を含む通信情報である。
【００４４】
また、第２５の発明は、第２４の発明のサーバ装置において、前記一の端末装置から所望位置情報を受信する受信手段、を備え、前記特定手段は、前記受信手段により受信された所望位置情報に基づいて前記他の端末装置を特定する、サーバ装置である。
【００４５】
この第１６又は第２５の発明によれば、一の端末装置が所望する位置（範囲）に存する他の端末装置に対応する人物情報との合致を、報知できる。
更に、合致手段による合致判定対象を、特定された他の端末装置の所有者に関する人物情報であるとすれば、登録されている人物が所望の位置に存在することを、報知できる。
【００４６】
第１７の発明は、複数の端末装置と情報の送受信が可能なサーバ装置（例えば、図１５のサーバ装置４００）に対して、前記端末毎に、人物に係る人物情報（例えば、図１７の人物情報ＤＢ９３）を、当該人物と当該端末装置の所有者との人物関係を示す関係情報と関連付けて記憶する記憶手段（例えば、図１７の記憶装置９０）と、前記複数の端末装置の内、一の端末装置が存する位置と、所与の位置に存する他の端末装置とを特定する特定手段（例えば、図１７のＣＰＵ１２）と、所与の判定基準に基づき、前記一の端末装置に対応する人物情報と、前記他の端末装置に対応する人物情報と、の合致を判定する判定手段（例えば、図１７のＣＰＵ１２）と、前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段（例えば、図１７のＣＰＵ１２）と、を機能させるための通信情報である。
【００４７】
また、第１８の発明は、第１４〜第１６の何れかの発明の通信情報において、前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段（例えば、図１７のＣＰＵ１２）、を機能させるための情報を含む通信情報である。
【００４８】
また、第２６の発明は、複数の端末装置（例えば、図１５の携帯電話機３００）と情報の送受信が可能なサーバ装置（例えば、図１５のサーバ装置４００）であって、前記端末装置毎に、人物に係る人物情報（例えば、図１７の人物情報ＤＢ９３）を、当該人物と当該端末装置の所有者との人物関係を示す関係情報と関連付けて記憶する記憶手段（例えば、図１７の記憶装置９０）と、前記複数の端末装置の内、一の端末装置が存する位置と、所与の位置に存する他の端末装置とを特定する特定手段（例えば、図１７のＣＰＵ１２）と、所与の判定基準に基づき、前記一の端末装置に対応する人物情報と、前記他の端末装置に対応する人物情報と、の合致を判定する判定手段（例えば、図１７のＣＰＵ１２）と、前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段（例えば、図１７のＣＰＵ１２）と、を備えるサーバ装置である。
【００４９】
また、第２７の発明は、第２４又は第２５の発明のサーバ装置において、前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段（例えば、図１７のＣＰＵ１２）、を備えるサーバ装置である。
【００５０】
また、第２８の発明は、複数の端末装置と情報の送受信が可能なサーバ装置であって、前記端末装置毎に、人物に係る人物情報を、当該人物と当該端末装置の所有者との人物関係を示す関係情報と関連付けて記憶する記憶手段と、前記複数の端末装置の内、一の端末装置と、他の端末装置とを特定する特定手段と、所与の判定基準に基づき、前記一の端末装置に対応する人物情報と、前記他の端末装置に対応する人物情報と、の合致を判定する判定手段と、前記判定手段により合致判定がなされた場合に、合致判定結果に基づいて、前記一の端末装置の所有者と、前記他の端末装置に対応する人物情報に係る人物との人物関係を判断し、この判断した人物関係を示す関係情報と関連付けて、前記他の端末装置に対応する人物情報を前記記憶手段に追加記憶させる追記手段と、を備えるサーバ装置である。
【００５１】
この第１７、第１８、第２６、第２７、又は第２８の何れかの発明によれば、判定手段により合致判定がなされた場合に、他の端末装置に対応する人物情報を、一の端末装置の所有者とのつながり（関係）を示す関係情報ともに、追加記憶することができる。即ち、他の端末装置に登録されている人物を、一の端末装置の所有者とのつながり（関係）とともに、追加登録することができる。
更に、追加登録する人物を、合致判定がなされた人物を除くことで、同一人物が重複して登録されることを防止できる。
【００５２】
更に、第１９の発明として、第１〜第１８の何れかの発明の通信情報を記憶する情報記憶媒体を構成することとしてもよい。
【００５３】
この第１９の発明によれば、第１〜第１８の何れかの発明の効果と同様の効果を有する情報記憶媒体を実現できる。
【図面の簡単な説明】
【００５４】
【図１】携帯電話機に登録される人物関係の一例を示す図である。
【図２】関係・絵文字対応関係の一例を示す図である。
【図３】携帯電話機に登録される人物関係の一例を示す図である。
【図４】携帯電話機に登録される人物関係の一例を示す図である。
【図５】携帯電話機に登録される人物関係の一例を示す図である。
【図６】携帯電話機に表示されるつながり発見画面の一例を示す図である。
【図７】携帯電話機の内部構成の一例を示すブロック図である。
【図８】所有者情報の一例を示す図である。
【図９】友人情報の一例を示す図である。
【図１０】友人情報の一例を示す図である。
【図１１】友人情報の一例を示す図である。
【図１２】友人情報の一例を示す図である。
【図１３】つながり登録処理を説明するフローチャートである。
【図１４】つながり発見処理を説明するフローチャートである。
【図１５】つながり登録／発見システムの概略構成を示す図である。
【図１６】携帯電話機の内部構成例を示すブロック図である。
【図１７】サーバ装置の内部構成例を示すブロック図である。
【図１８】つながり登録処理を説明するフローチャートである。
【図１９】つながり発見処理を説明するフローチャートである。
【図２０】携帯電話機に登録されるトレード関係の一例を示す図である。
【発明を実施するための形態】
【００５５】
以下、本発明の好適な実施形態について、図面を参照して説明する。尚、以下では、本発明を携帯電話機に適用する場合について説明するが、本発明は、これに限定されるものではない。
【００５６】
本発明に係る携帯電話機は、ＣＰＵ（Central Processing Unit）と、ＲＡＭ（Random Access Memory）と、ＲＯＭ（Read Only Memory）と、補助記憶装置と、数字キーや操作キー等の入力装置と、小型液晶ディスプレイ等の表示装置と、無線通信を行う無線装置と、がシステムバスを介して接続される周知の携帯電話機である。更に、携帯電話機は、いわゆる周知の無線電話機として用いられるものであり、無線電話通信機能を有している。
【００５７】
また、この携帯電話機には、その所有者の人物関係が登録されている。より具体的には、所有者と何らかのつながり（関係）がある人物が、そのつながり（関係）とともに登録されている。
また、ここで述べる“つながり（関係）”とは、例えば“兄弟”や“親友”、“恋人”といった直接的な関係のみならず、“親友”の“恋人”の“兄弟”、といった間接的な関係をも含むものである。つまり、所有者と全く面識がない人物についても、何らかのつながり（関係）がある人物として登録され得ることになる。
そして、本携帯電話機は、他の携帯電話機（或いは、任意のデータ処理装置）とのデータ通信を行うことにより、つながり登録機能、つながり発見機能といった機能を実現する。
【００５８】
つながり登録機能とは、一のユーザが所有する携帯電話機が、当該携帯電話機に登録されている人物（以下、登録人物という。）が所有する携帯電話機に接近すると、その登録人物の携帯電話機に登録されている人物関係が、そのまま一のユーザの携帯電話機にコピーされる、という機能である。
【００５９】
また、つながり発見機能とは、一のユーザの携帯電話機の登録人物と、他のユーザの携帯電話機の登録人物とが一部一致する場合に、一のユーザの携帯電話機と他のユーザの携帯電話機とが接近すると、一のユーザの携帯電話機が何らかの反応を示すという機能である。
【００６０】
以下、これらの機能について、順に、その詳細を説明する。
尚、１台の携帯電話機については、その所有者は原則１人であることとする。
【００６１】
［つながり登録］
先ず、つながり登録機能について説明する。
図１は、携帯電話機に登録されている人物関係の一例を示す図である。
同図に示すように、携帯電話機に登録される人物関係は、所有者をルートとする階層構造により表現される。また、この階層構造は、所有者と登録人物とのつながり（関係）に従うものである。つまり、より上位の階層に位置する人物ほど、所有者との関係が深い人物であり、一方、より下位の階層に位置する人物ほど、所有者との関係が浅い人物であることを意味する。
【００６２】
また、図１において、それぞれの登録人物に付随して表示されている絵文字は、所有者とその登録人物との関係を表している。この絵文字と、人物間の関係との対応は、図２に示す関係・絵文字対応表において、定められる。
【００６３】
図２は、関係・絵文字対応表の一例を示す図である。
同図に示すように、関係・絵文字対応表は、“親友”や“バンド仲間”、“恋人”といった人物間の関係毎に、異なる絵文字を対応付けるものである。
尚、ここで用意される人物間の関係や対応する絵文字は、これに限るものではなく、任意に変更可能である。
【００６４】
図１（ａ）は、「高橋（男性）」が所有する携帯電話機Ａ（以下、単に「高橋」の携帯電話機Ａという。また、後述する他の人物についても同様である。）に登録されている人物関係を示す図である。
同図（ａ）によれば、所有者である「高橋」の下には、「ケン（男性）」、及び「マユ（女性）」を含む合計５人の人物が、「高橋」と直接関係がある人物として登録されている。例えば、「ケン」は「高橋」の“バンド仲間”として、また、「マユ」は「高橋」の“恋人”として、それぞれ登録されている。
【００６５】
また、図１（ｂ）は、「ケン（男性）」の携帯電話機Ｂに登録されている人物関係を示す図である。
同図（ｂ）によれば、「ケン」の下には、「コウタ（男性）」、及び「高橋（男性）」を含む合計４人の人物が、「ケン」と直接関係がある人物として登録されている。例えば、「コウタ」は「ケン」の“兄弟”として、また、「高橋」は「ケン」の“バンド仲間”として、それぞれ登録されている。尚、ここで「高橋」は、図１（ａ）における「高橋」、即ち携帯電話機Ａの所有者である「高橋」と同一人物である。
【００６６】
そして、「高橋」と「ケン」とが接近すると、両者の携帯電話機Ａ、Ｂに登録されている人物関係は、それぞれ、図３、及び図４に示すように変更される。
【００６７】
尚、ここで「人物Ａ」と「人物Ｂ」とが接近するとは、正確には、「人物Ａが所有する携帯電話機Ａ」と、「人物Ｂが所有する電話機Ｂ」とが、所定距離以内に近づくことを意味する。しかし、それぞれの人物は、所有する携帯電話を常時“携帯”していることとすれば、所有者同士が接近すると、それぞれが所有する携帯電話機同士も接近する。そのため、以下では、２台の携帯電話機が所定距離以内に接近することを、それぞれの所有者同士が接近することと代替して表現する。
【００６８】
図３は、「高橋」の携帯電話機Ａの変更後の人物関係を示す図である。
同図によれば、「ケン」の下には、「コウタ」を含む合計３人の人物が、新たに「高橋」と関係のある人物として追加登録されている。例えば、「コウタ」は、「高橋」の“バンド仲間”である「ケン」の“兄弟”、として登録されている。
【００６９】
ここで追加登録されている３人の人物は、「ケン」の携帯電話機Ｂの登録人物（但し、「高橋」を除く。）である。つまり、接近した「ケン」と関係のある人物が、「ケン」を介して「高橋」と関係のある人物として、携帯電話機Ａに追加登録されていることになる。言い換えれば、追加登録された人物は、「ケン」を介して「高橋」と間接的に関係がある人物ということになる。
【００７０】
例えば、図３に示すように、「ケン」の携帯電話機Ｂにおいて、「コウタ」は「ケン」の“兄弟”、として登録されている。そして、「高橋」と「ケン」とが接近することで、「コウタ」は、「ケン」と直接関係がある人物として、「ケン」の直下の階層に位置するよう、「高橋」の携帯電話機Ａに追加登録されることになる。
【００７１】
ところで、図１（ｂ）に示すように、「ケン」の携帯電話機Ｂには、「ケン」と関係がある人物として、「高橋」を含む合計４人の人物が登録されている。しかし、この「高橋」は、携帯電話機Ａの所有者である「高橋」本人であるため、携帯電話機Ａへの追加登録の際には、「高橋」を除く合計３人の登録人物が、追加登録の対象となる。
【００７２】
図４は、「ケン」の携帯電話Ｂの変更後の人物関係を示す図である。
同図によれば、「高橋」の下には、「マユ」を含む合計４人の人物が、新たに「ケン」と関係のある人物として追加登録されている。例えば、「マユ」は、「ケン」の“バンド仲間”である「高橋」の“恋人”、として登録されている。
【００７３】
また、ここで追加登録されている４人の人物は、「高橋」の携帯電話機Ａの登録人物（但し、「ケン」を除く。）である。つまり、上述した「高橋」の携帯電話機Ａの場合と同様に、「高橋」と関係のある人物が、「高橋」を介して「ケン」と関係のある人物として、「高橋」の直下の階層に位置するよう、携帯電話機Ｂに追加登録されていることになる。
【００７４】
このように、一のユーザが所有する携帯電話機と、当該一のユーザの携帯電話機の登録人物の携帯電話機とが接近した場合、お互いの携帯電話機の登録人物が、お互いの人物関係を維持したまま、お互いの携帯電話機に追加登録されることになる。
【００７５】
［つながり発見］
次に、つながり発見機能について説明する。
ここで、「高橋」の携帯電話機Ａには、図５（ａ）に示す人物関係が、また、「ナオミ（女性）」の携帯電話機Ｃには、図５（ｂ）に示す人物関係が、それぞれ登録されているものとする。
【００７６】
図５（ａ）は、「高橋」の携帯電話機Ａに登録されている人物関係の一例を示す図である。
同図によれば、所有者である「高橋」の下には、「ケン」、「マユ」、及び「コウタ」を含む合計８人の人物が、「高橋」と関係のある人物として登録されている。
例えば、「コウタ」は、「高橋」の“バンド仲間“である「ケン」の“兄弟”、として登録されている。
【００７７】
図５（ｂ）は、「ナオミ」の携帯電話機Ｃに登録されている人物関係の一例を示す図である。
同図によれば、所有者である「ナオミ」の下には、「ヒロシ（男性）」、及び「コウタ」を含む合計９人の人物が、「ナオミ」と関係のある人物として登録されている。例えば、「ヒロシ（男性）」は、「ナオミ」の“バンド仲間”、として、また「コウタ」は、「ナオミ」の“バンド仲間”である「ヒロシ」の“親友”、として、それぞれ登録されている。尚、ここで「コウタ」は、図５（ａ）における「コウタ」と同一人物である。
【００７８】
そして、「高橋」と「ナオミ」が接近すると、両者の携帯電話機Ａ、Ｃの表示画面上には、それぞれ、図６（ａ）、（ｂ）に示すつながり発見画面が表示される。
【００７９】
図６は、携帯電話機の表示画面上に表示されるつながり発見画面の一例を示す図である。
同図に示すように、つながり発見画面には、所有者と何らかの関係がある人物が近くに存在することを知らせるメッセージと、その人物とのつながり（関係）と、が表示される。また、ここで表示される人物間の関係は、図２の関係・絵文字対応表に示すように、それぞれの人物間の関係に対応する絵文字で表示される。
【００８０】
図６（ａ）は、「高橋」の携帯電話機Ａにおけるつながり発見画面を示す図である。
同図（ａ）によれば、所有者である「高橋（男性）」にとって、“バンド仲間”である「ケン（男性）」の“兄弟（男性）”の“親友（男性）”の“バンド仲間（女性）”、といったつながり（関係）の人物（即ち、「ナオミ」である。）が、近くに存在することが示されている。
【００８１】
また、このつながり発見画面においては、所有者と直接関係のある人物についてのみ、その名前が表示される。
即ち、図５によれば、「高橋」、及び「ナオミ」の携帯電話機Ａ、Ｃそれぞれには、「コウタ」が共通に登録されている。つまり、「高橋」にとって「ナオミ」は、「ケン」、「コウタ」、そして「ヒロシ」を介して関係がある人物ということになる。
そして、図６（ａ）に示すように、携帯電話機Ａのつながり発見画面においては、所有者である「高橋」と直接関係のある人物、即ち「ケン」についてのみ、所有者との関係、性別とともに、その名前が表示される。また、それ以外の人物、即ち「コウタ」、「ヒロシ」、そして「ナオミ」に関しては、その関係と性別のみが表示される。具体的には、「コウタ」は「ケン」の“兄弟（男性）”、「ヒロシ」はその“親友（男性）”、そして「ナオミ」はその“バンド仲間（女性）”、というように、表示されることになる。
【００８２】
また、図６（ｂ）は、「ナオミ」の携帯電話機Ｃにおけるつながり発見画面を示す図である。
同図によれば、「ナオミ（女性）」にとって、“バンド仲間”である「ヒロシ（男性）」の“親友（男性）”の“兄弟（男性）”の“バンド仲間（男性）”、といったつながり（関係）の人物（即ち、「高橋」である。）が、近くに存在することが示されている。
【００８３】
図５によれば、上述した「高橋」の場合と同様に、「ナオミ」にとって「高橋」は、「ヒロシ」、「コウタ」、そして「ケン」を介して関係がある人物ということになる。
そして、図６（ｂ）に示すように、携帯電話機Ｂのつながり発見画面においては、所有者である「ナオミ」と直接関係のある人物、即ち「ヒロシ」についてのみ、所有者との関係、性別とともに、その名前が表示される。また、それ以外の人物、即ち「コウタ」、「ケン」、そして「高橋」に関しては、関係と性別のみが表示される。つまり、「コウタ」は「ヒロシ」の“親友（男性）”、「ケン」はその“兄弟（男性）”、そして「高橋」はその“バンド仲間（男性）”、というように、表示されることになる。
【００８４】
このように、それぞれの携帯電話機に同一人物（共通人物）が登録されている各携帯電話機の所有者同士が接近した場合、両者の携帯電話機には、例えば図６に示すつながり発見画面が表示されるといった演出が行われることにより、何らかの関係がある人物が近くにいることを、その所有者に知らせることになる。
【００８５】
続いて、本発明に係る携帯電話機を実現する２つの実施例について、説明する。
【００８６】
［第１の実施例］
先ず、第１の実施例について説明する。
第１の実施例において、本発明に係る携帯電話機は、Bluetooth（登録商標)と呼ばれる無線通信規格による無線通信機能を搭載する。そして、他の携帯電話機（勿論、Bluetooth（登録商標)による無線通信機能を搭載する。）との無線通信によりデータのやり取りを行うことで、上記つながり登録及びつながり発見の機能を実現する。
【００８７】
ここで、Bluetooth（登録商標)について簡単に説明する。
Bluetooth（登録商標)とは、主に携帯情報機器向けの近距離無線データ通信規格の名称であり、電波免許が不要な２．４ＧＨｚのＩＳＭ（Industrial Scientific Medical）バンドを使用する無線伝送方式である。また、周波数ホッピングを用いたスペクトラム拡散を利用し、１Ｍｂｐｓのシンボル・レートを実現している。
【００８８】
Bluetooth（登録商標)を搭載した通信機器間のデータ通信は、１台のマスタ（Master）と、１乃至複数台のスレーブ（Slave）とを含む、最大８台の通信機器から構成されるネットワークを最小単位として行われる。このネットワークはピコネット（Piconet）と呼ばれ、マスタを中心とするスター状のネットワークである。そして、ピコネットにおける通信の一切は、マスタによって制御される。
【００８９】
また、ピコネットの生成、即ち通信機器間のリンク確立は、任意の通信機器によるポーリングにより実現される。そして、ポーリングした通信機器が、そのピコネットにおけるマスタとなる。
【００９０】
詳細には、マスタとして機能する通信機器は、先ず、周辺の通信機器をスキャンする（Inquiryモード）。そして、Standbyモードとなっている通信機器を認識すると、認識した通信機器に「Active Member Address」と呼ばれる３ビットのアドレスを割り振る。マスタに認識され、アドレスを割り振られた通信機器は、マスタとの通信リンクを確立し、スレーブとして機能することになる。
尚、ここでのスキャン範囲は、相互にデータ通信が可能な範囲、具体的にはマスタとなる通信機器を中心とする、約１０ｍの範囲である。
【００９１】
また、一のピコネットにおいて、マスタは、スレーブ毎に割り振る上記「Active Member Address」により、制御する全てのスレーブを認識する機能を有している。そして、マスタは、同時に最大７台のスレーブに対して、同時にデータの送受信を行うことが可能となる。
【００９２】
更に、ピコネットを構成する通信機器は、時分割で通信を切り換えることにより、異なる複数のピコネットに参加可能である。つまり、あるピコネットでのマスタは、同時に、異なるピコネットでのスレーブにも成り得る。このように、複数のピコネットが重なり合い、互いに通信可能なネットワークの構成は、スキャッタネット（Scatternet）と呼ばれる。
【００９３】
ところで、無線データ通信の代表的な規格として、赤外線を利用するＩｒＤＡやＩｒＢｕｓ等の規格がある。これらの規格と比較し、Bluetooth（登録商標)は、通信機器間の距離が１０ｍ（通信機器の出力電力によっては、１００ｍ程度まで可能）以内であれば、障害物が存在してもデータ通信が可能という特徴（長所）がある。
【００９４】
そのため、Bluetooth（登録商標)規格を搭載した携帯電話機については、例えばバックやポケットの中に該携帯電話機が置かれている場合でも、携帯電話同士が所定距離まで接近した場合には、この携帯電話機間のデータ通信は問題なく行われる。このことを踏まえて、上述のように、データ通信が可能な距離まで携帯電話機同士が接近することを、その所有者同士が接近することとして説明するのである。
【００９５】
また、本発明に係る携帯電話機、即ちBluetooth（登録商標)規格に準じた携帯電話機は、１対１通信、及び１対多通信の何れも可能である。しかし、以下においては、説明の簡明のため、携帯電話機は、他の１台の携帯電話機と１対１通信を行うものとするが、一対多通信の場合においても、同様に実施できる。そして、以下、本携帯電話機と相互にデータ通信を行う他の携帯電話機を、相手端末ということにする。
【００９６】
次に、携帯電話機の内部構成について説明する。
また、この携帯電話機は、「高橋」の携帯電話機Ａであるとして以下説明するが、上述の携帯電話機Ｂ、及びＣについても、勿論同一構成となっている。
【００９７】
図７は、本発明を適用した携帯電話機１００の内部構成の一例を示すブロック図である。同図に示すように、携帯電話機１００は、ＣＰＵ１０、入力装置２０、表示装置３０、Bluetooth通信装置４１、移動体通信装置４２、ＲＡＭ５０、及び記憶装置６０より構成される。また、これらの各部はシステムバスによって接続され、相互にデータ等のやり取りが可能なよう、構成されている。
【００９８】
ＣＰＵ１０は、記憶装置６０に記憶されている、携帯電話機１００に対応する各種プログラム等の中から指定されたプログラムやデータ、入力装置２０から入力される各種指示、及び通信装置４０から取得される各種データ等をＲＡＭ５０内に展開する。そして、この入力指示やデータに応じて、上記プログラムに従う各種処理を実行し、その処理結果を、記憶装置６０内の所定の領域に格納するとともに、表示装置３０に表示させる。
【００９９】
また、ＣＰＵ１０は、携帯電話機１００を構成する各部の動作を統一的に制御するとともに、後述するつながり登録処理（図１３参照）、つながり発見処理（図１４参照）等を実行制御する。
【０１００】
即ち、ＣＰＵ１０は、記憶装置６０から読み出したつながり登録プログラム６１に従うことで、後述するつながり登録処理（図１３参照）を実行する。
つまり、相手端末から取得した所有者情報と、記憶装置６０の友人情報６４と、の合致を判定することにより、相手端末の所有者が、携帯電話機１００の登録人物であるか否かを判定する。そして、相手端末の所有者が、携帯電話機１００の登録人物である場合、この相手端末から取得した友人情報を、記憶装置６０の友人情報６４に追加記憶する。
【０１０１】
また、ＣＰＵ１０は、記憶装置６０から読み出したつながり発見プログラム６２に従うことで、後述するつながり発見処理（図１４参照）を実行する。
つまり、相手端末から取得した所有者情報或いは友人情報と、記憶装置６０の友人情報６４と、の合致を判定することにより、相手端末と携帯電話機１００とに同一人物（共通人物）が登録されているか否かを判定する。そして、同一人物が登録されている場合、その旨を知らせるメッセージとともに、上記同一人物を介する、携帯電話機１００の所有者と相手端末の所有者とのつながり（関係）を、表示装置３０に表示させる。
【０１０２】
入力装置２０は、数字キーや操作キー、各種機能キー等により構成される。そして、各キーが押下されたことを検知すると、押下されたキーに対応する押下信号を、ＣＰＵ１０に出力する。
【０１０３】
表示装置３０は、ＬＣＤ（Liquid Crystal Display）等により構成される。そして、ＣＰＵ１０から入力される表示指示に従って、例えば図６に示すつながり発見画面を表示する。
【０１０４】
Bluetooth通信装置４１は、Bluetooth（登録商標)規格に準じた通信ユニットであり、主にＲＦ／変復調回路、ベースバンド信号処理部、及びアンテナより構成される。そして、他の携帯電話機１００との通信回線を確立し、例えば所有者情報６３や友人情報６４といったデータのやり取りを行う。
【０１０５】
移動体通信部４２は、他の携帯電話機の無線電話機能を実現するための通信装置であり、移動体無線基地局（図示省略）を経由し、移動体通信網と接続する機能を有する。
【０１０６】
ＲＡＭ５０は、ＣＰＵ１０によって実行される各種処理において、記憶装置６０、入力装置２０、或いは通信装置４０から取得されるプログラムやデータ、若しくは処理データ等を一時的に格納する作業領域として用いられるものである。
【０１０７】
記憶装置６０は、磁気的、光学的記録媒体、若しくは不揮発性の半導体メモリ等で構成され、各種データの読み出し及び書き込みを可能とする。そして、記憶装置６０には、携帯電話機１００のシステムプログラム（携帯電話機１００の初期化情報等）、処理プログラム、及び当該プログラムの実行に必要な諸データ等が、予め記憶されている。
【０１０８】
上記処理プログラムには、つながり登録プログラム６１、及びつながり発見プログラム６２が含まれる。これらの各処理プログラムは、読み取り可能なプログラムコードの形態で格納され、ＣＰＵ１０は、該プログラムコードに従った動作を逐次実行する。
また、これらの処理プログラムの実行に必要な諸データとして、記憶装置６０には、所有者情報６３、友人情報６４、及び図２に示す関係・絵文字対応表６５が、記憶されている。
【０１０９】
図８（ａ）は、所有者情報６３の一例を示す図である。
同図（ａ）に示すように、所有者情報６３は、携帯電話機１００の所有者に関する情報を記憶するものであり、所有者の名前と、性別と、電話番号と、を記憶する。
同図（ａ）によれば、携帯電話機１００の所有者である「高橋」の‘性別’は“男性”であり、‘電話番号’は“090-1111-1111”である。
【０１１０】
尚、ここで記憶される電話番号は、携帯電話機１００の電話番号である。また、この電話番号は、携帯電話機それぞれに固有の番号であり、同一の電話番号は、原則２つと存在しない。そのため、本実施の形態においては、電話番号が一致するか否かにより、人物の一致を判別する。
【０１１１】
また、図８（ｂ）は、「ケン」の携帯電話機Ｂにおける所有者情報６３を示すものである。つまり、携帯電話機１００が「ケン」の携帯電話機Ｂである場合には、記憶装置６０は、同図（ｂ）に示す所有者情報６３を記憶することになる。
同図（ｂ）によれば、携帯電話機Ｂの所有者である「ケン」の‘性別’は“男性”であり、‘電話番号’は“090-2222-2222”である。
【０１１２】
また、図８（ｃ）は、「ナオミ」の携帯電話機Ｃにおける所有者情報６３を示すものである。つまり、携帯電話機１００が「ナオミ」の携帯電話機Ｃである場合には、記憶装置６０は、同図（ｃ）に示す所有者情報６３を記憶することになる。
同図（ｃ）によれば、携帯電話機Ｃの所有者である「ナオミ」の‘性別’は“女性”であり、‘電話番号’は“090-3333-3333”である。
【０１１３】
図９は、友人情報６４の一例を示す図である。
同図に示すように、友人情報６４は、携帯電話機１００の登録人物に関する情報を記憶するものであり、登録人物毎に、その名前と、性別と、電話番号と、所有者との関係等の情報と、を対応付けて記憶する。尚、ここで記憶される電話番号は、その登録人物が所有する携帯電話機の電話番号である。
【０１１４】
また、図９は、携帯電話機１００に、図１（ａ）に示す人物関係が登録されている場合に相当する。つまり、友人情報６４は、携帯電話機１００に登録されている５人の登録人物それぞれに関する友人情報（Ｎｏ.１〜５）を、記憶している。
【０１１５】
図９において、‘直接関係人物’とは、その登録人物と直接関係のある人物を示すものである。具体的には、その登録人物の１つ上の階層に位置し、且つ直接関係のある登録人物に関する友人情報の‘Ｎｏ．’が格納される。また、登録人物と直接関係のある人物が、携帯電話機１００の所有者である場合については、‘直接関係人物’には“０”が格納される。
そして‘関係’は、この‘直接関係人物’にて示された登録人物との関係を示すものである。
【０１１６】
即ち、図１（ａ）に示すように、５人の登録人物は、全員、携帯電話機１００の所有者である「高橋」と直接関係がある人物である。そのため、図９に示すように、それぞれの‘直接関係人物’は“０”である。また、‘関係’は、それぞれの登録人物と「高橋」との関係を示している。
【０１１７】
例えば、図９において、「ケン」に関する友人情報（Ｎｏ．１）によれば、「ケン」の‘性別’は“男性”であり、‘電話番号’は“090-2222-2222”である。そして、「高橋」との‘関係’は、“バンド仲間”である。
また、「マユ」に関する友人情報（Ｎｏ．３）によれば、「マユ」の‘性別’は“女性”であり、‘電話番号’は“090-1234-5678”である。そして、「高橋」との‘関係’は、“恋人”である。
【０１１８】
図１０は、「ケン」の携帯電話機Ｂにおける友人情報６４を示すものである。即ち、携帯電話機１００が「ケン」の携帯電話機Ｂである場合には、記憶装置６０は、同図に示す友人情報６４を記憶することになる。
【０１１９】
また、図１０は、携帯電話機Ｂに、図１（ｂ）に示す人物関係が登録されている場合に相当する。つまり友人情報６４は、携帯電話機Ｂに登録されている４人の登録人物それぞれに関する友人情報（Ｎｏ．１〜４）を、記憶している。
そして、図１（ｂ）に示すように、４人の登録人物は、全員、携帯電話機Ｂの所有者である「ケン」と直接関係のある人物である。そのため、図１０において、それぞれの‘直接関係人物’は、全て“０”である。また、‘関係’は、それぞれの登録人物と「ケン」との関係を示している。
【０１２０】
例えば、図１０において、「コウタ」に関する友人情報（Ｎｏ．１）によれば、「コウタ」の‘性別’は“男性”であり、‘電話番号’は“090-3456-7890”である。そして、「ケン」との‘関係’は、“兄弟”である。
また、「高橋」に関する友人情報（Ｎｏ．４）によれば、「高橋」の‘性別’は“男性”であり、‘電話番号’は“090-1111-1111”である。そして、「ケン」との‘関係’は、“バンド仲間”である。
【０１２１】
そして、携帯電話機１００（携帯電話機Ａ）の所有者である「高橋」と、携帯電話機Ｂの所有者である「ケン」とが接近すると、ＣＰＵ１０によるつながり登録処理により、図９に示す友人情報６４は、例えば図１１に示すように変更される。
【０１２２】
図１１は、変更後の友人情報６４の一例を示す図である。
また、同図は、携帯電話機１００に、図３に示す人物関係が登録されている場合に相当する。つまり、友人情報６４は、携帯電話機１００に登録されている８人の登録人物それぞれに関する友人情報（Ｎｏ．１〜８）を、記憶している
【０１２３】
図１１によれば、変更後の友人情報６４は、図９に示す変更前の友人情報６４と比較し、合計３人の登録人物に相当する友人情報（Ｎｏ．６〜８）が、新たに追加されている。
【０１２４】
ここで新たに追加されている友人情報（Ｎｏ．６〜８）は、「ケン」の携帯電話機Ｂから取得された友人情報であり、図１０における友人情報（Ｎｏ．１〜３）に相当する。つまり、新たに追加されている友人情報（Ｎｏ．６〜８）は、「ケン」を介して「高橋」と関係がある人物として、携帯電話機１００に追加登録された人物（図３において、「ケン」の直下の階層に追加登録されている３人の人物のことである。）に関する情報である。
【０１２５】
また、図１１に示すように、これら追加された友人情報（Ｎｏ．６〜８）の‘直接関係人物’は“１”である。即ち、「ケン」と直接関係がある人物であることを示している。そして、‘関係’は、携帯電話機１００の所有者である「高橋」との関係ではなく、直接関係がある「ケン」との関係を示している。
【０１２６】
図１１において、例えば、携帯電話機１００の所有者である「高橋」と、登録人物である「コウタ」との関係は、以下のようになる。
即ち、「コウタ」に関する友人情報（Ｎｏ．６）によれば、‘直接関係人物’は“１”である。つまり、「コウタ」は「ケン」と直接関係があり、その‘関係’は“兄弟”である。また、「ケン」に関する友人情報（Ｎｏ．１）によれば、‘直接関係人物’は“０”である。つまり、「ケン」は「高橋」と直接関係があり、その‘関係’は“バンド仲間”である。
このことより、「高橋」と「コウタ」との関係は、「高橋」の“バンド仲間”である「ケン」の“兄弟”、となる。
【０１２７】
尚、図１０に示すように、「ケン」の携帯電話機Ｂに記憶される友人情報６４には、「高橋」に関する友人情報（Ｎｏ．４）が含まれる。しかし、「高橋」は、携帯電話機１００の所有者本人であるため、この友人情報（Ｎｏ．４）を除く友人情報（Ｎｏ．１〜３）が、図１１に示すように、友人情報（Ｎｏ．６〜８）として、友人情報６４に新たに追加されることになる。
【０１２８】
図１２は、「ナオミ」の携帯電話機Ｃにおける友人情報６４を示すものである。即ち、携帯電話機１００が「ナオミ」の携帯電話機Ｃである場合には、記憶装置６０は、同図に示す友人情報６４を記憶することになる。
また、同図は、携帯電話機１００に、図５（ｂ）に示す人物関係が登録されている場合に相当する。つまり、友人情報６４は、携帯電話機Ｃに登録されている９人の登録人物それぞれに関する友人情報（Ｎｏ．１〜９）を、記憶している。
【０１２９】
図１２によれば、例えば、友人情報（Ｎｏ．１〜４）の‘直接関係人物’は“０”である。つまり、友人情報（Ｎｏ．１〜４）は、携帯電話機Ｃの所有者である「ナオミ」と直接関係がある登録人物に関する情報である。そして、‘関係’は、その登録人物と「ナオミ」との関係を示している、
また、友人情報（Ｎｏ．５〜７）の‘直接関係人物’は“１”である。つまり、友人情報（Ｎｏ．５〜７）は、友人情報（Ｎｏ．１）に対応する登録人物、即ち「ヒロシ」と直接関係がある登録人物に関する人物情報である。そして、‘関係’は、その登録人物と「ヒロシ」との関係を示している。
【０１３０】
図１２において、例えば、携帯電話機Ｃの所有者である「ナオミ」と、登録人物である「コウタ」との関係は、以下のようになる。
即ち、「コウタ」に関する友人情報（Ｎｏ．５）によれば、‘直接関係人物’は“１”である。つまり、「コウタ」は「ヒロシ」と直接関係があり、その‘関係’は“親友”である。また、「ヒロシ」に関する友人情報（Ｎｏ．１）によれば、‘直接関係人物’は“０”である。つまり、「ヒロシ」は「ナオミ」と直接関係があり、その‘関係’は“バンド仲間”である。
このことにより、「ナオミ」と「コウタ」との関係は、「ナオミ」の“バンド仲間”である「ヒロシ」の“親友”、となる。
【０１３１】
以上のように、所有者情報６３、及び友人情報６４によって、携帯電話機１００に登録されている人物関係が、表現されている。
【０１３２】
図１３は、つながり登録プログラム６１に従い、ＣＰＵ１０により実行されるつながり登録処理を説明するためのフローチャートである。
尚、このつながり登録処理は、相互にデータ通信可能な範囲、具体的には約１０ｍ以内に存する１台の携帯電話機を相手端末として実行される処理である。また、データ通信を行う相手端末は、勿論、携帯電話機１００と同一機能を有するものである。
【０１３３】
そして、相手端末が「ケン」の携帯電話機Ｂである場合のつながり登録処理動作を、図１３のフローチャートを参照し、説明する。
尚、携帯電話機１００は、図８（ａ）に示す所有者情報６３（以下、所有者情報ａという。）、及び図９に示す友人情報６４（以下、友人情報ａという。）を、また、相手端末（即ち、「ケン」の携帯電話機Ｂである。）は、図８（ｂ）に示す所有者情報６３（以下、所有者情報ｂという。）、及び図１０に示す友人情報６４（以下、友人情報ｂという。）を、それぞれ記憶しているものとする。
【０１３４】
図１３において、先ず、ＣＰＵ１０は、相手端末に対して、所有者情報ｂの‘電話番号’の送信を要求する（ステップＳ１１）。
【０１３５】
そして、この送信要求に応じて相手端末から送信される‘電話番号’を取得するすると（ステップＳ１２）、続いて、ＣＰＵ１０は、取得した‘電話番号’と、友人情報ａの‘電話番号’それぞれと、の一致を順に判定する。つまり、ＣＰＵ１０は、双方の‘電話番号’の一致を判定することで、相手端末の所有者が、携帯電話機１００の登録人物であるか否かを判定するのである（ステップＳ１３）。
【０１３６】
即ち、図８（ｂ）に示すように、所有者情報ｂの‘電話番号’は“090-2222-2222”であるので、ＣＰＵ１０は、相手端末から送信される‘電話番号’として“090-2222-2222”を取得することになる。また、図９に示すように、友人情報ａの内のＮｏ．１の‘電話番号’は“090-2222-2222”である。このことにより、ＣＰＵ１０は、取得した‘電話番号’と、友人情報ａ（Ｎｏ．１）の‘電話番号’と、の一致を判定する（ステップＳ１３：ＹＥＳ）。この場合は、相手端末の所有者が、携帯電話機１００の登録人物である場合に相当することになる。
【０１３７】
尚、上記判定の結果、取得した‘電話番号’が、友人情報ａの‘電話番号’の何れとも一致しない場合（ステップＳ１３：ＮＯ）、ＣＰＵ１０は、本処理を終了する。この場合は、相手端末の所有者が、携帯電話機１００の登録人物でない場合に相当することになる。
【０１３８】
ステップＳ１３において、取得した‘電話番号’と、友人情報ａの‘電話番号’の何れかと、の一致を判定した場合（ステップＳ１３：ＹＥＳ）、次いで、ＣＰＵ１０は、相手端末に対して、友人情報ｂの送信を要求する（ステップＳ１４）。
【０１３９】
そして、この送信要求に応じて相手端末から送信される友人情報ｂを取得すると（ステップＳ１５）、ＣＰＵ１０は、取得した友人情報ｂの‘電話番号’それぞれと、所有者情報ａの‘電話番号’と、の一致を順に判定する。そして、友人情報ｂから、ここで一致判定した情報を除いた友人情報ｂを、友人情報ａに追加するとともに、記憶装置６０に記憶させる。つまり、ＣＰＵ１０は、携帯電話機１００の所有者が、相手端末の登録人物であるか否かを判定するとともに、相手端末の登録人物の内、携帯電話機の所有者を除く登録人物を、携帯電話機１００に追加登録するのである（ステップＳ１６）。
【０１４０】
即ち、図８（ａ）に示すように、所有者情報ａの‘電話番号’は“090-1111-1111”であるので、ＣＰＵ１０は、相手端末から送信される‘電話番号’として“090-1111-1111”を取得することになる。また、図１０に示すように、友人情報ｂの内のＮｏ．４の‘電話番号’は“090-1111-1111”である。このことにより、ＣＰＵ１０は、所有者情報ａの‘電話番号’と、友人情報ｂ（Ｎｏ．４）の‘電話番号’と、の一致を判定する。
そして、友人情報ｂから、ここで一致判定した友人情報ｂ（Ｎｏ．４）を除いた残りの友人情報ｂ（Ｎｏ．１〜３）を、友人情報ａに追加する。
この場合は、携帯電話機１００の所有者が、相手端末の登録人物である場合に相当することになる。
【０１４１】
また、ステップＳ１６において、取得した友人情報ｂを記憶装置６０の友人情報ａへ追加する際には、ＣＰＵ１０は、新たに追加することとなる友人情報ｂに対して、記憶装置６０に既に記憶されている友人情報ａに続く‘Ｎｏ．’を付す。
即ち、図９に示すように、友人情報ａには、既に、合計５人の登録人物に関する友人情報ａ（Ｎｏ．１〜５）が記憶されている。そのため、取得した友人情報ｂ（Ｎｏ．１〜３）を、それぞれ友人情報ａ（Ｎｏ．６〜８）として、図１１に示すように、友人情報ａに追加することになる。
【０１４２】
更に、ステップＳ１６において、取得した友人情報ｂを記憶装置６０の友人情報ａへ追加する際には、ＣＰＵ１０は、新たに追加することとなる友人情報ｂの‘直接関係人物’を、ステップＳ１３において一致判定した友人情報ａの‘Ｎｏ．’に変更する。
つまり、ＣＰＵ１０は、携帯電話機１００に追加登録される人物は、既に携帯電話機１００に登録されている登録人物の内、どの登録人物と直接関係があるのかを示すよう友人情報ｂを変更し、友人情報ａに追加するのである。
【０１４３】
即ち、ステップＳ１３において一致判定した友人情報ａは、相手端末の所有者である「ケン」に関する友人情報ａ（Ｎｏ．１）である。つまり、ＣＰＵ１０は、新たに追加することとなる友人情報ｂ（Ｎｏ．１〜３）の‘直接関係人物’を、それぞれ、“０”から“１”に変更する。そして、友人情報ａ（Ｎｏ．６〜８）として、図１１に示すように、友人情報ａに追加することになる。
【０１４４】
以上の処理を行うと、ＣＰＵ１０は、本処理を終了する。
【０１４５】
このように、相手端末から取得した友人情報ｂ（但し、携帯電話機１００の所有者に関する情報を除く。）を、記憶装置６０の友人情報ａに追加することで、携帯電話機１００において、図１（ａ）に示すように登録されていた人物関係は、図３に示すように変更されることになる。
【０１４６】
図１４は、つながり発見プログラム６２に従い、ＣＰＵ１０により実行されるつながり発見処理を説明するためのフローチャートである。
尚、このつながり登録処理は、上述のつながり登録処理（図１３参照）と同様に、相互にデータ通信可能な範囲、具体的には約１０ｍ以内に存する１台の携帯電話機を相手端末として実行される処理である。また、データ通信を行う相手端末は、勿論、携帯電話機１００と同一機能を有するものである。
【０１４７】
そして、相手端末が「ナオミ」の携帯電話機Ｃである場合のつながり発見処理動作を、図１４のフローチャートを参照し、説明する。
尚、携帯電話機１００は、図８（ａ）に示す所有者情報６３（以下、所有者情報ａという。）、及び図１１に示す友人情報６４（以下、友人情報ａという。）を、また、相手端末（即ち、「ナオミ」の携帯電話機Ｃである。）は、図８（ｃ）に示す所有者情報６３（以下、所有者情報ｃという。）、及び図１２に示す友人情報６４（以下、友人情報ｃという。）を、それぞれ記憶しているものとする。
【０１４８】
図１４において、先ず、ＣＰＵ１０は、相手端末に対して、所有者情報ｃの‘電話番号’の送信を要求する（ステップＳ２１）。
【０１４９】
そして、この送信要求に応じて相手端末から送信される‘電話番号’を取得すると（ステップＳ２２）、続いて、ＣＰＵ１０は、取得した‘電話番号’と、友人情報ａの‘電話番号’それぞれと、の一致を順に判定する。つまり、ＣＰＵ１０は、相手端末の所有者が、携帯電話機１００の登録人物であるか否かを判定するのである（ステップＳ２３）。
【０１５０】
即ち、図８（ｃ）に示すように、所有者情報ｃの‘電話番号’は“090-3333-3333”であるので、ＣＰＵ１０は、相手端末から送信される‘電話番号’として“090-3333-3333”を取得する。しかし、図１１に示すように、取得した‘電話番号’は、友人情報ａの‘電話番号’の何れとも一致しない。
この場合は、相手端末の所有者が、携帯電話機１００の登録人物でない場合に相当することになる。
【０１５１】
このように、判定の結果、取得した‘電話番号’が、友人情報ａの‘電話番号’の何れとも一致しない場合（ステップＳ２３：ＮＯ）、続いて、ＣＰＵ１０は、相手端末に対して、友人情報ｂの‘電話番号’の送信を要求する（ステップＳ２４）。
【０１５２】
そして、この送信要求に応じて相手端末から送信される‘電話番号’を取得すると（ステップＳ２５）、ＣＰＵ１０は、取得した‘電話番号’それぞれと、友人情報ａの‘電話番号’それぞれと、の一致を順に判定する。つまり、ＣＰＵ１０は、相手端末と携帯電話機１００とに、同一人物が登録されているか否かを判定するのである（ステップＳ２６）。
【０１５３】
即ち、図１２によれば、ＣＰＵ１０は、“090-4444-4444”、・・と順に、合計９つの‘電話番号’を、相手端末から取得することになる。また、図１１によれば、友人情報ａ（Ｎｏ．６）の‘電話番号’は“090-3456-7890”である。これは、先に取得した‘電話番号’の内、５番目に取得した“090-3456-7890”と一致する。
このことにより、ＣＰＵ１０は、友人情報ａ（Ｎｏ．６）の‘電話番号’と、５番目に取得した‘電話番号’と、の一致を判定する（ステップＳ２６：ＹＥＳ）。
つまり、ここで一致判定した友人情報ａ（Ｎｏ．６）は、「コウタ」に関する友人情報であり、ＣＰＵ１０は、携帯電話機１００の所有者と相手端末の所有者とは、「コウタ」を共通人物として、何らかのつながり（関係）があることを検出（発見）したことになる。
【０１５４】
取得した‘電話番号’と、友人情報ａの‘電話番号’何れかと、の一致を判定すると（ステップＳ２６：ＹＥＳ）、次いで、ＣＰＵ１０は、一致判定した‘電話番号’とともに、相手端末に対して、当該‘電話番号’に対応する登録人物（共通人物）と、相手端末の所有者と、のつながり（関係）の送信を要求する（ステップＳ２７）。
【０１５５】
一方、このつながり送信要求とともに、ＣＰＵ１０は、一致判定した友人情報ａに基づき、携帯電話機１００の所有者である「高橋」と、共通人物である「コウタ」と、のつながり（関係）を導出する。
【０１５６】
即ち、ステップＳ２６において一致判定した友人情報ａは、「コウタ」に関する友人情報（Ｎｏ．５）である。そして、図１１に示すように、この友人情報ａ（Ｎｏ．６）によれば、「コウタ（男性）」は「ケン（男性）」と直接関係があり、その‘関係’は“兄弟”である。また、「ケン」に関する友人情報ａ（Ｎｏ．１）によれば、「ケン」は、携帯電話機１００の所有者である「高橋」と直接関係があり、その‘関係’は“バンド仲間”である。
つまり、「高橋」と「コウタ」との関係は、「高橋」の“バンド仲間”である「ケン（男性）」の“兄弟（男性）”、となる。
【０１５７】
一方、ステップＳ２６において一致判定した‘電話番号’に対応する友人情報ｂは、「コウタ」に関する人物情報ｂ（Ｎｏ．５）である。そして、図１２に示すように、この人物情報ｂ（Ｎｏ．５）によれば、「コウタ（男性）」は「ヒロシ（男性）」と直接関係があり、その‘関係’は“親友”である。また、「ヒロシ」に関する人物情報ｂ（Ｎｏ．１）によれば、「ヒロシ」は、相手端末の所有者である「ナオミ（女性）」と直接関係があり、その関係は“バンド仲間”である。
つまり、「コウタ」と「ナオミ」との関係は、「コウタ（男性）」の“親友（男性）”の“バンド仲間（女性）”、となる。
【０１５８】
そして、ＣＰＵ１０は、相手端末から、共通人物である「コウタ」と相手端末の所有者とのつながり（関係）として、「コウタ（男性）」の“親友（男性）”の“バンド仲間（女性）”、といったつながり（関係）を取得することになる（ステップＳ２８）。
【０１５９】
これらのことより、ＣＰＵ１０は、携帯電話機１００の所有者と、相手端末の所有者とのつながり（関係）として、「高橋」の“バンド仲間”である「ケン」の“兄弟（男性）”の“親友（男性）”の“バンド仲間（女性）”、というつながり（関係）を得ることになる。
【０１６０】
このように、携帯電話機１００の所有者と、相手端末の所有者と、のつながり（関係）を得ると、ＣＰＵ１０は、例えば図６に示すように、何らかのつながり（関係）がある人物が近くに存在する旨のメッセージとともに、得られたつながり（関係）を、表示装置３０に表示させる（ステップＳ２９）。
【０１６１】
尚、ステップＳ２３において、判定の結果、取得した‘電話番号’が、友人情報ａの‘電話番号’の何れかと一致した場合（ステップＳ２３：ＹＥＳ）、ＣＰＵ１０は、ステップＳ２９に処理を移行する。そして、同様に、一致判定した友人情報ａに基づき、携帯電話機１００の所有者と、相手端末の所有者と、のつながり（関係）を導出するとともに、導出したつながり（関係）を、表示装置３０に表示させる処理を行う（ステップＳ２９）。
この場合は、相手端末の所有者が、携帯電話機１００の登録人物である場合に相当する。
【０１６２】
以上の処理を行うと、ＣＰＵ１０は、本処理を終了する。
【０１６３】
［第２の実施例］
次に、第２の実施例について、説明する。
図１５は、第２の実施例におけるつながり発見／登録システム２００の概略構成を示す図である。
同図に示すように、つながり発見／登録システム２００は、複数の携帯電話機３００と、ネットワークＮを介して複数の携帯電話機３００とデータの送受信自在なサーバ装置４００と、から構成される。
【０１６４】
尚、図１５においては、携帯電話機３００として３台の携帯電話機Ａ、Ｂ、Ｃと、１台のサーバ装置４００と、が示されているが、勿論これは何台でも構わない。
また、図１５において、携帯電話機Ａは、「高橋」の所有する携帯電話機３００であり、携帯電話機Ｂは、「ケン」の所有する携帯電話機３００であり、携帯電話機Ｃは、「ナオミ」の所有する携帯電話機３００であるとする。
【０１６５】
ネットワークＮは、公衆回線網やインターネット等の有線／無線の電気通信回線により構成される。そして、ネットワークＮには、一乃至複数の無線基地局（図示省略）が接続されており、携帯電話機３００は、この無線基地局との無線通信を確立することにより、ネットワークＮを介して、サーバ装置４００とのデータ送受信を行うことになる。
【０１６６】
また、つながり発見／登録システム２００における携帯電話機３００は、上述のように、つながり登録機能、及びつながり発見機能を有する。
【０１６７】
即ち、例えば、携帯電話機Ａには図１（ａ）に示す人物関係が、また、携帯電話機Ｂには図１（ｂ）に示す人物関係が、それぞれ登録されているとする。
そして、「高橋」と「ケン」とが接近すると、「高橋」の携帯電話機Ａに登録されている人物関係には、「ケン」の携帯電話機Ｂに登録されている人物関係がコピーされることで、例えば図３に示すように変更される。一方、「ケン」の携帯電話機Ｂに登録されている人物関係には、「高橋」の携帯電話機Ｂに登録されている人物関係がコピーされることで、例えば図４に示すように変更されることになる（つながり登録機能）。
【０１６８】
また、携帯電話機Ａには図５（ａ）に示す人物関係が、また、携帯電話機Ｃには図５（ｂ）に示す人物関係が、それぞれ登録されているとする。
そして、「高橋」と「ナオミ」が接近すると、「高橋」の携帯電話機Ａ、及び「ナオミ」の携帯電話機Ｂにおいて、それぞれの表示画面上には、例えば図６（ａ）、（ｂ）に示すつながり発見画面が表示され、何らかの関係がある人物が近くに居ることを知らせることになる（つながり発見機能）。
【０１６９】
図１５において、携帯電話機３００は、上述のように、ＣＰＵと、ＲＡＭと、ＲＯＭと、記憶装置と、数字キーや操作キー等の入力装置と、小型液晶ディスプレイ等の表示装置と、無線通信を行う無線装置と、がシステムバスを介して接続される周知の携帯電話機である。
また、携帯電話機３００は、ＧＰＳ受信機としての機能を有する。即ち、ＧＰＳ衛星Ｓから送信されるＧＰＳ信号を受信し、所定の測位動作を行うことで、携帯電話機３００の現在の位置を示す位置情報（緯度、経度等）を得る。それとともに、得られた位置情報を、ネットワークＮを介して、常時サーバ装置４００に送信する。
【０１７０】
サーバ装置４００は、ＣＰＵと、ＲＡＭと、ＲＯＭと、記憶装置と、ＣＤ或いはＭＯといった外部記憶媒体を読み込み自在な外部記憶媒体読込装置と、ネットワークＮに接続するための通信装置と、がシステムバスを介して接続される、周知のサーバ装置である。
このサーバ装置４００は、ネットワークＮを介して携帯電話機３００とのデータ通信を行うことで、上記携帯電話機３００のつながり登録機能、及びつながり発見機能を実現する。
【０１７１】
次に、携帯電話機３００、及びサーバ装置４００の内部構成について、説明する。
【０１７２】
図１６は、携帯電話機３００の内部構成の一例を示すブロック図である。
同図に示すように、携帯電話機３００は、ＣＰＵ１１、入力装置２１、表示装置３１、通信装置４１、ＲＡＭ５１、記憶装置７０、及びＧＰＳアンテナ８１を備えるＧＰＳ受信装置８０より構成される。また、これらの各部はシステムバスによって接続され、データ等のやり取りが可能なよう、構成されている。
【０１７３】
ＣＰＵ１１は、携帯電話機３００を構成する各部の動作を統括的に制御する。
【０１７４】
入力装置２１は、図７の入力装置２０と同一構成であり、数字キーや操作キー、各種機能キー等により構成される。そして、各キーが押下されたことを検知すると、押下されたキーに対応する押下信号をＣＰＵ１１に出力する。
【０１７５】
表示装置３１は、図７の表示装置３０と同一構成であり、ＬＣＤ（Liquid Crystal Display）等により構成される。そして、ＣＰＵ１１から入力される表示指示に従って、例えば図６に示すつながり発見画面を表示する。
【０１７６】
通信装置４１は、無線基地局（図示省略）との間の無線通信回線を確立することで、通信回線としてのネットワークＮを介して、主にサーバ装置４００とのデータのやり取りを行う。
具体的には、例えば、ＧＰＳ受信装置８０にて得られた携帯電話機３００の位置情報を、サーバ装置４００に送信する。或いは、サーバ装置４００から送信される処理結果データや画像データ等を受信する。
【０１７７】
ＲＡＭ５１は、図７のＲＡＭ５０と同一構成であり、ＣＰＵ１１によって実行される各種処理において、記憶装置７０、入力装置２１、或いは通信装置４１から取得されるプログラムやデータ、処理データ等を一時的に格納する作業領域として用いられるものである。
【０１７８】
記憶装置７０は、磁気的、光学的記録媒体、若しくは不揮発性の半導体メモリ等で構成され、各種データの読み出し及び書き込みを可能とする。そして、記憶装置７０には、携帯電話機３００のシステムプログラム等が予め記憶されている。
【０１７９】
ＧＰＳ受信装置８０は、ＧＰＳ衛星Ｓから送信されるＧＰＳ信号を受信するＧＰＳアンテナ８１を有する。そして、ＧＰＳ受信装置８０は、ＧＰＳアンテナ８１を介して受信したＧＰＳ衛星信号に基づき、所定の測位動作を実行することで、携帯電話機３００の現在位置を求める。そして、求めた位置情報は、ＣＰＵ１１の指示により、通信装置４１を介して、サーバ装置４００に送信される。
【０１８０】
図１７は、サーバ装置４００の内部構成の一例を示すブロック図である。
同図に示すように、サーバ装置４００は、ＣＰＵ１２、通信装置４２、ＲＡＭ５２、及び記憶装置９０より構成される。また、これらの各部はシステムバスによって接続され、データ等のやり取りが可能なよう、構成されている。
【０１８１】
ＣＰＵ１２は、記憶装置９０に記憶されている、サーバ装置４００に対応する各種プログラムの中から指定されたプログラムやデータ、通信装置４２から取得される各種データ等をＲＡＭ５２内に展開する。そして、この入力指示やデータに応じて、上記プログラムに従う各種処理を実行し、その処理結果を、記憶装置９０内の所定の領域に格納するとともに、通信装置４２を介して、携帯電話機３００に送信する。
【０１８２】
また、ＣＰＵ１２は、複数の携帯電話機３００の中から、任意の１台の携帯電話機３００を対象端末とする。そして、通信装置４２を介して取得した、携帯電話機３００それぞれの位置情報に基づき、対象端末を中心とする所定範囲内に存する他の携帯電話機３００を、相手端末として特定する。
尚、以下においては、説明の簡明のため、相手端末は１台の携帯電話機３００であるとする。
【０１８３】
また、ＣＰＵ１２は、記憶装置９０から読み出したつながり登録プログラム９１に従うことで、後述するつながり登録処理（図１８参照）を実行する。
つまり、相手端末の所有者情報と、対象端末の友人情報と、の合致を判定することにより、相手端末の所有者が、対象端末の登録人物であるか否かを判定する。そして、相手端末の所有者が、対象端末の登録人物である場合、この相手端末の友人情報を、対象端末の友人情報に追加する。
【０１８４】
更に、ＣＰＵ１２は、記憶装置９０から読み出したつながり発見プログラム９２に従うことで、後述するつながり発見処理（図１９参照）を実行する。
つまり、対象端末の友人情報と、相手端末の所有者情報或いは友人情報と、の合致を判定することにより、対象端末と相手端末とに同一人物（共通人物）が登録されているか否かを判定する。そして、同一人物が登録されている場合、上記同一人物を介する、対象端末の所有者と相手端末の所有者とのつながり（関係）を、双方の表示装置３１上に表示させる。
【０１８５】
通信装置４２は、通信回線としてのネットワークＮを介して、携帯電話機３００とのデータのやり取りを行う。
具体的には、例えば、携帯電話機３００から送信される位置情報を受信する。或いは、ＣＰＵ１２よる処理結果データや画像データ等を、携帯電話機３００に送信する。
【０１８６】
ＲＡＭ５２は、ＣＰＵ１２によって実行される各種処理において、記憶装置９０から取得されるプログラムやデータ、処理データ等を一時的に格納する作業領域として用いられるものである。
【０１８７】
記憶装置９０は、磁気的、光学的記録媒体、若しくは不揮発性の半導体メモリ等で構成され、各種データの読み出し及び書き込みを可能とする。そして、記憶装置には、サーバ装置４００のシステムプログラム、処理プログラム、及び当該プログラムの実行に必要な諸データ等が、予め記憶されている。
【０１８８】
上記処理プログラムには、つながり登録プログラム９１、及びつながり発見プログラム９２が含まれる。これらの各処理プログラムは、読み取り可能なプログラムコードの形態で格納され、ＣＰＵ１２は、該プログラムコードに従った動作を逐次実行する。
また、これらの処理プログラムの実行に必要な諸データとして、記憶装置９０には、人物情報ＤＢ９３、及び図２に示す関係・絵文字対応表６５が、記憶されている。
【０１８９】
人物情報ＤＢ９３には、複数の携帯電話機３００それぞれに対応する人物情報が格納される。また、それぞれの人物情報には、対応する携帯電話機３００の所有者に関する所有者情報９４、及び該携帯電話機３００の登録人物に関する友人情報９５、が含まれる。
また、この所有者情報９４、及び友人情報９５は、上記第１の実施例において説明した所有者情報６３、及び友人情報６４と同一構成であり、その詳細な説明は省略する。
【０１９０】
例えば、「高橋」の携帯電話機Ａに対応する人物情報として、図８（ａ）に示す所有者情報６３と、図９或いは図１１に示す友人情報６４と、が記憶される。また、「ケン」の携帯電話機Ｂに対応する人物情報として、図８（ｂ）に示す所有者情報６３と、図１０に示す友人情報６４と、が記憶される。また、「ナオミ」の携帯電話機Ｃに対応する人物情報として、図９（ｃ）に示す所有者情報６３と、図１２に示す友人情報６４と、が記憶される。
【０１９１】
図１８は、つながり登録プログラム９１に従い、ＣＰＵ１２により実行されるつながり登録処理を説明するためのフローチャートである。
そして、対象端末が「高橋」の携帯電話機Ａ、相手端末が「ケン」の携帯電話機Ｂである場合のつながり発見処理動作を、図１８に示すフローチャートを参照し、説明する。
【０１９２】
また、記憶装置９０の人物情報ＤＢ９３には、携帯電話機Ａに対応する人物情報として、図８（ａ）に示す所有者情報６３（以下、所有者情報ａという。）、及び図９に示す友人情報６４（以下、友人情報ａという。）を含む人物情報が、また、携帯電話機Ｂに対応する人物情報として、図８（ｂ）に示す所有者情報６３（以下、所有者情報ｂという。）、及び図１０に示す友人情報６４（以下、友人情報ｂという。）を含む人物情報が、それぞれ格納されているものとする。
【０１９３】
図１８において、先ず、ＣＰＵ１２は、人物ＤＢ９３を参照し、所有者情報ｂの‘電話番号’と、友人情報ａの‘電話番号’それぞれと、の一致を順に判定する。つまり、ＣＰＵ１２は、相手端末の所有者が、対象端末の登録人物であるか否かを判定するのである。（ステップＳ３１）。
【０１９４】
即ち、図８（ｂ）に示すように、所有者情報ｂの‘電話番号’は“090-2222-2222”である。また、図９に示すように、友人情報ａ（Ｎｏ．１）の‘電話番号’は“090-2222-2222”である。このことにより、ＣＰＵ１２は、所有者情報ｂの‘電話番号’と、友人情報ａ（Ｎｏ．１）の‘電話番号’と、の一致を判定する（ステップＳ３１：ＹＥＳ）。この場合は、相手端末の所有者が、対象端末の登録人物である場合に相当することになる。
【０１９５】
尚、上記判定の結果、所有者情報ｂの‘電話番号’が、友人情報ａの‘電話番号’の何れとも一致しない場合（ステップＳ３１：ＮＯ）、ＣＰＵ１２は、本処理を終了する。この場合は、相手端末の所有者が、対象端末の登録人物でない場合に相当することになる。
【０１９６】
ステップＳ３１において、所有者情報ｂの‘電話番号’と、友人情報ａの‘電話番号’の何れかと、の一致を判定した場合（ステップＳ３１：ＹＥＳ）、次いで、ＣＰＵ１２は、人物情報ＤＢ９３を参照し、友人情報ｂの‘電話番号’それぞれと、所有者情報ａの‘電話番号’と、の一致を順に判定する。そして、友人情報ｂから、ここで一致判定した情報を除いた友人情報ｂを、友人情報ａに追加するとともに、記憶装置９０に記憶させる。つまり、ＣＰＵ１２は、対象端末の所有者が、相手端末の登録人物であるか否かを判定するとともに、相手端末の登録人物の内、対象端末の所有者を除く登録人物を、対象端末の登録人物として追加登録するのである（ステップＳ３２）。
【０１９７】
即ち、図８（ａ）に示すように、所有者情報ａの‘電話番号’は“090-1111-1111”である。また、図１０に示すように、友人情報ｂ（Ｎｏ．４）の‘電話番号’は“090-1111-1111”である。このことにより、ＣＰＵ１２は、所有者情報ａの‘電話番号’と、友人情報ｂ（Ｎｏ．４）の‘電話番号’と、の一致を判定する。
そして、友人情報ｂから、ここで一致判定した友人情報ｂ（Ｎｏ．４）を除いた残りの友人情報ｂ（Ｎｏ．１から３）を、友人情報ａに追加する。
この場合は、対象端末の所有者が、相手端末の登録人物である場合に相当することになる。
【０１９８】
また、ステップＳ３２において、友人情報ｂを友人情報ａへ追加する際には、ＣＰＵ１２は、新たに追加することとなる友人情報ｂに対して、記憶装置９０に既に記憶されている友人情報ａに続く‘Ｎｏ．’を付す。
即ち、図９に示すように、友人情報ａには、既に、合計５人の登録人物に関する友人情報ａ（Ｎｏ．１〜５）が記憶されている。そのため、追加することとなる友人情報ｂ（Ｎｏ．１〜３）を、それぞれ友人情報ａ（Ｎｏ．６〜８）として、図１１に示すように、友人情報ａに追加することになる。
【０１９９】
更に、ステップＳ３２において、友人情報ｂを友人情報ａへ追加する際には、ＣＰＵ１２は、新たに追加することとなる友人情報ｂの‘直接関係人物’を、ステップＳ３１において一致判定した友人情報ａの‘Ｎｏ．’に変更する。
つまり、ＣＰＵ１２は、対象端末に追加登録される人物は、既に対象端末に登録されている登録人物の内、どの登録人物と直接関係があるのかを示すよう友人情報ｂを変更し、友人情報ａに追加するのである。
【０２００】
即ち、ステップＳ３１において一致判定した友人情報ａは、相手端末の所有者である「ケン」に関する友人情報（Ｎｏ．１）である。つまり、ＣＰＵ１２は、新たに追加することとなる友人情報ｂ（Ｎｏ．１〜３）の‘直接関係人物’を、それぞれ、“０”から“１”に変更する。そして、友人情報ａ（Ｎｏ．６〜８）として、図１１に示すように、友人情報ａに追加することになる。
【０２０１】
以上の処理を行うと、ＣＰＵ１２は、本処理を終了する。
【０２０２】
このように、相手端末に対応する友人情報ｂ（但し、対象端末の所有者に関する情報を除く。）を、対象端末に対応する友人情報ａに追加することで、対象端末において、図１（ａ）に示すように登録されていた人物関係は、図３に示すように変更されることになる。
【０２０３】
図１９は、つながり発見プログラム９２に従い、ＣＰＵ１２により実行されるつながり発見処理を説明するフローチャートである。
そして、対象端末が「高橋」の携帯電話機Ａ、相手端末が「ナオミ」の携帯電話機Ｃである場合のつながり発見処理動作を、図１９に示すフローチャートを参照し、説明する。
【０２０４】
また、記憶装置９０の人物情報ＤＢ９３には、携帯電話機Ａに対応する人物情報として、図８（ａ）に示す所有者情報６３（以下、所有者情報ａという。）、及び図１１に示す友人情報６４（以下、友人情報ａという。）を含む人物情報が、また、携帯電話機Ｃに対応する人物情報として、図８（ｃ）に示す所有者情報６３（以下、所有者情報ａという。）、及び図１２に示す友人情報６４（以下、友人情報ｂという。）を含む人物情報が、それぞれ格納されているものとする。
【０２０５】
図１９において、先ず、ＣＰＵ１２は、人物情報ＤＢ９３を参照し、所有者情報ｃの‘電話番号‘と、友人情報ａの‘電話番号’それぞれと、の一致を順に判定する。つまり、ＣＰＵ１２は、相手端末の所有者が、対象端末の登録人物であるか否かを判定するのである（ステップＳ４１）。
【０２０６】
即ち、図８（ｃ）に示すように、所有者情報ｂの‘電話番号’は“090-3333-3333”である。しかし、図１１に示すように、この‘電話番号’は、友人情報ａの‘電話番号’の何れとも一致しない。
この場合には、相手端末の所有者が、対象端末の登録人物でない場合に相当することになる。
【０２０７】
このように、判定の結果、所有者情報ｂの‘電話番号’が、友人情報ａの‘電話番号’の何れとも一致しない場合（ステップＳ４１：ＮＯ）、続いて、ＣＰＵ１２は、人物情報ＤＢ９３を参照し、友人情報ａの‘電話番号’それぞれと、友人情報ｂの‘電話番号’それぞれと、の一致を順に判定する。つまり、ＣＰＵ１２は、対象端末と相手端末とに、同一人物が登録されているか否かを判定するのである（ステップＳ４２）。
【０２０８】
即ち、図１１によれば、友人情報ａ（Ｎｏ．６）の‘電話番号’は“090-3456-7890“である。また、図１２によれば、友人情報ｂ（Ｎｏ．５）の‘電話番号’は“090-3456-7890”である。このことにより、ＣＰＵ２１は、友人情報ａ（Ｎｏ．６）の‘電話番号’と、友人情報ｂ（Ｎｏ．５）の‘電話番号’と、の一致を判定する（ステップＳ４２：ＹＥＳ）。
つまり、ここで一致判定した友人情報ａ（Ｎｏ．６）及び友人情報ｂ（Ｎｏ．５）は、ともに「コウタ」に関する友人情報であり、ＣＰＵ１２は、対象端末の所有者と相手端末の所有者とは、「コウタ」を共通人物として、何らかのつながり（関係）があることを検出（発見）したことになる。
【０２０９】
友人情報ａの‘電話番号’の何れかと、友人情報ｂの‘電話番号’の何れかと、の一致を判定すると（ステップＳ４２：ＹＥＳ）、次いで、ＣＰＵ１２は、一致判定した友人情報ａ及び友人情報ｂに基づいて、対象端末の所有者と、相手端末の所有者と、のつながり（関係）を求める（ステップＳ４３）。
【０２１０】
即ち、図１１に示すように、ステップＳ４２において一致判定した友人情報（Ｎｏ．６）によれば、「コウタ（男性）」は「ケン（男性）」と直接関係があり、その‘関係’は“兄弟”である。また、「ケン」に関する友人情報（Ｎｏ．１）によれば、「ケン」は、対象端末の所有者である「高橋」と直接関係があり、その‘関係’は“バンド仲間”である。
つまり、「高橋」と「コウタ」との関係は、「高橋」の“バンド仲間”である「ケン（男性）」の“兄弟（男性）”、となる。
【０２１１】
一方、図１２に示すように、ステップＳ４２において一致判定した友人情報（Ｎｏ．５）によれば、「コウタ（男性）」は「ヒロシ（男性）」と直接関係があり、その‘関係’は“親友”である。また、「ヒロシ」に関する友人情報（Ｎｏ．１）によれば、「ヒロシ」は、相手端末の所有者である「ナオミ（女性）」と直接関係があり、その‘関係’は“バンド仲間”である。
つまり、「ナオミ」と「コウタ」との関係は、「ナオミ」の“バンド仲間”である「ヒロシ（男性）」の“親友（男性）”、となる。
【０２１２】
これらのことより、ＣＰＵ１２は、対象端末の所有者と、相手端末の所有者とのつながり（関係）として、「高橋」の“バンド仲間”である「ケン（男性）」の“兄弟（男性）”の“親友（男性）”の“バンド仲間（女性）”、というつながり（関係）を得ることになる。
一方、相手端末の所有者と、対象端末の所有者とのつながり（関係）として、「ナオミ」の“バンド仲間“である「ヒロシ（男性）」の“親友（男性）”の“兄弟（男性）”の“バンド仲間（男性）“、というつながり（関係）を得ることになる。
【０２１３】
このように、対象端末の所有者と、相手端末の所有者と、のつながり（関係）を得ると、ＣＰＵ１２は、対象端末には、例えば図６（ａ）に示すつながり発見画面を表示させるための画像データを、また、相手端末には、例えば図６（ｂ）に示すつながり発見画面を表示させるための画面データを、それぞれ生成する。そして、生成した画像データを、対象端末、及び相手端末に送信するともに、それぞれの表示装置３１に表示させる（ステップＳ４４）。
【０２１４】
尚、ステップＳ４１において、判定の結果、所有者情報ｂの‘電話番号’が、友人情報ａの‘電話番号’の何れかと一致した場合（ステップＳ４１：ＹＥＳ）、ＣＰＵ１２は、ステップＳ４３に処理を移行する。そして、同様に、一致判定した友人情報ａに基づき、対象端末の所有者と、相手端末の所有者と、のつながり（関係）を導出するとともに（ステップＳ４３）、導出したつながり（関係）を、それぞれの表示装置３１に表示させる処理を行う（ステップＳ４４）。
【０２１５】
以上の処理を行うと、ＣＰＵ１２は、本処理を終了する。
【０２１６】
尚、本発明は、上記第１又は第２の実施例に限定されるものではなく、本発明の趣旨を逸脱しない範囲で適宜変更可能である。
【０２１７】
例えば、第１の実施例において、携帯電話機１００の間のデータ通信を、赤外線通信によって行うこととしてもよい。
その際には、携帯電話機１００において、Bluetooth通信装置４１の代わりに、例えばＩｒＤＡ規格に準拠した赤外線を発信する送信部と、主に他の携帯電話機１００から送信される赤外線を受信する受信部と、ＩｒＤＡ通信装置とする。この時、データ通信を実行する際には、赤外線の特性上、情報の送受信を行う２台の携帯電話機１００は、それぞれの送受信及び受信部が対向して置かれている必要がある。
【０２１８】
一方、第２の実施例において、サーバ装置４００の記憶装置９０に記憶されている所有者情報９４、友人情報９５を、更に、携帯電話機３００の記憶装置７０においても記憶することとしてもよい。
【０２１９】
また、つながり発見機能において、相手端末を、対象端末によって指定された場所に存在する他の携帯電話機３００としてもよい。
具体的には、対象端末（携帯電話機３００）は、入力装置２１を介して所有者より指定された場所を、サーバ装置４００に送信する。また、サーバ装置４００は、携帯電話機３００それぞれの位置情報に基づいて、対象端末による指定場所に存在する携帯電話機３００を相手端末とし、つながり発見処理（図１９参照）を実行するよう、構成する。
つまり、この場合には、対象端末の所有者が指定する場所に存在し、且つ該所有者と何らかのつながり（関係）がある人物を発見（検出）することになる。
【０２２０】
また、サーバ装置４００は、携帯電話機３００それぞれの位置情報を、図示されていない携帯電話基地局より取得することとしてもよい。
この場合、更に、携帯電話機がＰＨＳ（Personal Handy Phone）である場合には、携帯電話機の場合と比較し、より狭い範囲において、相手端末を特定できることになる。
【０２２１】
更に、第１又は第２の実施例において、携帯電話機に登録されている人物関係を、携帯電話機の表示装置上に表示可能としてもよい。
その際には、プライバシー保護の観点から、所有者の直下の階層に位置する登録人物、即ち所有者と直接関係がある人物についてのみ、名前や電話番号といった詳細な情報を表示可能とし、例えばつながり登録機能により追加登録された人物については、その関係と性別のみを表示するように構成することが望ましい。
【０２２２】
また、携帯電話機に登録されている人物関係を、その所有者により変更可能としてもよい。
具体的には、携帯電話機の入力装置において、所有者／友人情報変更キーを備える構成とする。そして、この所有者／友人情報変更キーが押下された場合には、携帯電話機（或いはサーバ装置）は、入力装置から入力される入力データに基づき、記憶装置の所有者情報、或いは友人情報を変更・記憶する。尚、ここでの変更には、新たな友人情報の追加や、不要な友人情報の削除も含まれる。
更に、ここで所有者により変更可能な友人情報は、例えば所有者と直接関係のある登録人物についてのみとするように構成することが望ましい。
【０２２３】
また、所有者の指示により、つながり登録機能、或いはつながり発見機能を実行することとしてもよい。
具体的には、携帯電話機の入力装置において、つながり登録キー、或いはつながり発見キーを備える構成とする。そして、このつながり登録キー、或いはつながり発見キーが押下された場合にのみ、携帯電話機１００（或いはサーバ装置４００）は、上述したつながり登録処理（図１３、或いは図１８参照）、或いはつながり発見処理（図１４、或いは図１９参照）を実行する構成とする。
【０２２４】
また、つながり登録機能において、携帯電話機の登録人物の内、例えば所有者と直接関係がある人物に近づいた場合のみ、その接近した人物の携帯電話機に登録されている人物関係を、本携帯電話機にコピーすることとしてもよい。
更に、全ての人物関係をコピーするのではなく、例えばその接近した人物と直接関係がある登録人物のみを、本携帯電話機に追加登録することとしてもよい。
【０２２５】
また、携帯電話機に追加登録する人物が、該携帯電話機に既に登録されている人物であるか否かを判定することで、同一人物の重複登録を防止する構成としてもよい。
【０２２６】
また、つながり発見機能において、つながり発見画面（図６参照）の表示とともに、携帯電話機本体の振動、スピーカ等の音声出力装置からのメロディ等の音出力、或いはライト等の発光装置の点灯（点滅）、或いはこれらを組み合わせた演出を行うこととしてもよい。
【０２２７】
また、例えば携帯電話機における登録人物が所定人数に達した場合、或いは特定の人物が発見或いは登録された場合など、所定条件を満たした際に、何らかの演出を行うこととしてもよい。ここでの演出として、上述の演出に加え、特定画面の表示や特定音声の出力といったことが挙げられる。更に、第２の実施例においては、サーバ装置４００から、上記所定条件を満たした携帯電話機３００に対して演出データを送信することとしてもよい。
【０２２８】
また、携帯電話機にて所与のゲームを実行する場合、他の携帯電話機における上記所与のゲーム進行に関する情報を取得し、取得した情報に基づいて、ゲームを進行させる構成としてもよい。
例えば、所定のキーワードやキャラクタをする他の携帯電話機を発見することで、ゲームが進行する、また、ゲームの展開に行き詰まった場合に、他の携帯電話機から攻略情報を取得するといった構成とする。
【０２２９】
また、所有者情報６３及び友人情報６４に含まれる項目は、上記実施例に限らず、どのような項目でも構わないし、一致判定の基準となる項目は、何れの項目でも構わない。
【０２３０】
更に、携帯電話機が記憶する人物情報を、人物以外のものに関する情報としてもよい。
例えば、「欲しい」或いは「譲りたい」品物に関する情報（トレード情報）を記憶し、このトレード情報に基づき、トレード（交換）の成立を判定・出力を行う構成とする。尚、このトレード（交換）の対象としては、トレーディングカードや電化製品といった具体的な品物に加えて、プログラムやデータといった情報のやり取りも含まれる。
【０２３１】
具体的には、図２０に示すように、携帯電話機に、「欲しい」或いは「譲りたい」品物を登録する。
そして、登録されている「欲しい」品物と、他の携帯電話機に登録されている「譲りたい」品物との合致を判定し、合致した場合には、その旨を知らせるメッセージなどを表示する。また、登録されている「譲りたい」品物についても同様に、他の携帯電話機に登録されている「欲しい」品物との合致を判定することとする。
【０２３２】
また、上記実施形態においては、本発明を携帯電話機に適用した場合について説明したが、例えば、ＰＨＳ、携帯情報端末、携帯型ゲーム装置等、所有者が持ち運び可能な何れの端末装置、更には自動車に搭載された情報端末に対しても、適用可能である。
【符号の説明】
【０２３３】
１００  携帯電話機
１０  ＣＰＵ
２０  入力装置
３０  表示装置
４１  Bluetooth通信装置
４２  移動体通信装置
５０  ＲＡＭ
６０  記憶装置
６１  つながり登録プログラム
６２  つながり発見プログラム
６３  所有者情報
６４  友人情報
６５  関係・絵文字表
２００  つながり登録／発見システム
３００  携帯電話機
１１  ＣＰＵ
２１  入力装置
３１  表示装置
４１  通信装置
５１  ＲＡＭ
７０  記憶装置
８０  ＧＰＳ受信装置
８１  ＧＰＳアンテナ
４００  サーバ装置
１２  ＣＰＵ
４２  通信装置
５２  ＲＡＭ
９０  記憶装置
９１  つながり登録プログラム
９２  つながり発見プログラム
９３  人物情報ＤＢ
９４  所有者情報
９５  友人情報
【図１】
2010246133.tif 000003
【図２】
2010246133.tif 000004
【図３】
2010246133.tif 000005
【図４】
2010246133.tif 000006
【図５】
2010246133.tif 000007
【図６】
2010246133.tif 000008
【図７】
2010246133.tif 000009
【図８】
2010246133.tif 000010
【図９】
2010246133.tif 000011
【図１０】
2010246133.tif 000012
【図１１】
2010246133.tif 000013
【図１２】
2010246133.tif 000014
【図１３】
2010246133.tif 000015
【図１４】
2010246133.tif 000016
【図１５】
2010246133.tif 000017
【図１６】
2010246133.tif 000018
【図１７】
2010246133.tif 000019
【図１８】
2010246133.tif 000020
【図１９】
2010246133.tif 000021
【図２０】
2010246133.tif 000022
【手続補正書】
【提出日】平成22年6月22日(2010.6.22)
【手続補正２】
【補正対象書類名】明細書
【補正対象項目名】０００１
【補正方法】変更
【補正の内容】
【０００１】
本発明は、所定距離内に位置する他の端末装置と無線通信を行う携帯端末装置に内蔵されたコンピュータに所定処理を実行させるためのプログラム等に関する。
【手続補正３】
【補正対象書類名】特許請求の範囲
【補正対象項目名】全文
【補正方法】変更
【補正の内容】
【特許請求の範囲】
【請求項１】
所定距離内に位置する他の端末装置と無線通信を行って、情報の取得或いは提供が可能であり、記憶手段に、人物を識別可能な識別情報を含む人物個々の人物情報それぞれをユーザの操作入力に従って記憶させることのできる携帯端末装置に内蔵されたコンピュータを、
前記他の端末装置から人物情報を取得する取得手段、
前記取得手段により取得された人物情報に含まれる識別情報と、前記記憶手段に記憶された人物情報に含まれる識別情報とに基づいて、共通人物が登録されているか否かを判定する判定手段、
前記判定手段により共通人物が登録されていると判定された場合に所定の報知を行う報知制御手段、
として機能させるためのプログラム。
【請求項２】
前記携帯端末装置は、自動的に、前記所定距離内に位置する一乃至複数台の他の端末装置を認識するとともに、当該一乃至複数台の他の端末装置との無線通信回線を確立し、情報の取得或いは提供を可能とする通信方式で前記無線通信を行う通信部を備えており、
前記取得手段が、前記通信部による前記無線通信によって前記他の端末装置から人物情報を取得するように前記コンピュータを機能させるための請求項１に記載のプログラム。
【請求項３】
前記判定手段により共通人物が登録されていると判定された場合に、前記携帯端末装置の所有者と前記他の端末装置の所有者との関係性を導出する導出手段として前記コンピュータを機能させ、
前記報知制御手段が、前記導出手段により導出された関係性を表示制御するように前記コンピュータを機能させる、
ための請求項１又は２に記載のプログラム。
【請求項４】
前記判定手段により共通人物が登録されていると判定された場合に、前記取得手段により取得された人物情報に係る人物と前記携帯端末装置の所有者との人物関係を判断し、この判断した人物関係を示す関係情報と関連付けて、前記取得手段により取得された人物情報を前記記憶手段に追加記憶させる追記手段として前記コンピュータを機能させるための請求項１〜３の何れか一項に記載のプログラム。
【請求項５】
前記記憶手段に記憶されている人物情報が所与の条件を満たす場合に、所与の演出を行う演出手段として前記コンピュータを機能させるための請求項１〜４の何れか一項に記載のプログラム。
【請求項６】
複数の端末装置と情報の送受信が可能であり、前記端末装置毎に登録されている、人物を識別可能な識別情報を含む人物個々の人物情報を当該端末装置に対応付けて記憶する記憶手段を備えたサーバシステムであって、
前記複数の端末装置の内、所定距離内に位置する一の端末装置と他の端末装置とを特定する特定手段と、
前記記憶手段に記憶された、前記一の端末装置に対応する人物情報に含まれる識別情報と、前記他の端末装置に対応する人物情報に含まれる識別情報とに基づいて、共通人物が登録されているか否かを判定する判定手段と、
前記判定手段により合致判定がなされた場合に、前記一の端末装置及び／又は前記他の端末装置に合致検出情報を送信する送信手段と、
を備えたサーバシステム。
【請求項７】
請求項６に記載のサーバシステムと通信可能な端末装置に内蔵されたコンピュータを、
当該端末装置の位置を特定するための情報を前記サーバシステムに送信する送信制御手段、
前記サーバシステムから前記合致検出情報を受信した場合に所定の報知を行う報知制御手段、
として機能させるためのプログラム。
【請求項８】
請求項１〜５及び７のうちの何れか一項に記載のプログラムを記憶するコンピュータ読取可能な情報記憶媒体。
【請求項９】
複数の端末装置と情報の送受信が可能であり、前記端末装置毎に登録されている、人物を識別可能な識別情報を含む人物個々の人物情報を当該端末装置に対応付けて記憶する記憶手段を備えたサーバシステムが実行する方法であって、
前記複数の端末装置の内、所定距離内に位置する一の端末装置と他の端末装置とを特定する特定ステップと、
前記記憶手段に記憶された、前記一の端末装置に対応する人物情報に含まれる識別情報と、前記他の端末装置に対応する人物情報に含まれる識別情報とに基づいて、共通人物が登録されているか否かを判定する判定ステップと、
前記判定ステップで合致判定がなされた場合に、前記一の端末装置及び／又は前記他の端末装置に合致検出情報を送信する送信ステップと、
を含む方法。